(57)【要約】【課題】カメラボディと撮像ユニットとの対応関係をより緩やかにして、様々な撮像ユニットを組み合わせることが容易でかつ耐久性を向上させることができる撮像装置を提供する。【解決手段】撮像ユニット２をカメラボディ１に装着して被写体像を撮像する撮像装置１０である。凹部１Ａは、背壁部１Ｂと側壁部１Ｃと上壁部１Ｄとの三つの壁部を有し、ボディ側コネクタ部１２は、本体設置個所（５２）と、そこに配置されたボディ側コネクタ本体５３と、本体設置個所（５２）内であってボディ側コネクタ本体５３の周辺に設けられた封止部材５８と、を有し、ユニット側コネクタ本体６０と、そのボディ側コネクタ本体５３との接合を可能としつつユニット側コネクタ本体６０を取り囲むユニット側コネクタカバー部分５９と、を有し、封止部材５８には、撮像ユニット２が凹部１Ａに装着されると、ユニット側コネクタカバー部分５９の先端が圧接される。【選択図】  図２３
2010217611.tif 000002
【特許請求の範囲】
【請求項１】
直方体形状の筐体に光学系と撮像素子とユニット側コネクタ部とが設けられた撮像ユニットと、該撮像ユニットが着脱可能に配設される凹部とボディ側コネクタ部とを有するカメラボディとを含み、前記撮像ユニットを前記カメラボディに装着して被写体像を撮像する撮像装置であって、
前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部を有し、
前記ボディ側コネクタ部は、本体設置個所と、該本体設置個所に配置された電気的な接合のためのボディ側コネクタ本体と、前記本体設置個所内であって前記ボディ側コネクタ本体の周辺に設けられた封止部材と、を有し、
前記ユニット側コネクタ部は、前記撮像ユニットを前記凹部に装着すべく互いに接近させることにより前記ボディ側コネクタ本体と電気的に接合可能なユニット側コネクタ本体と、該ユニット側コネクタ本体の前記ボディ側コネクタ本体との接合を可能としつつ前記ユニット側コネクタ本体を取り囲むユニット側コネクタカバー部分と、を有し、
前記封止部材には、前記撮像ユニットが前記凹部に装着されて前記ボディ側コネクタ本体と前記ユニット側コネクタ本体とが電気的に接合されると、前記ユニット側コネクタカバー部分の先端が圧接されることを特徴とする撮像装置。
【請求項２】
前記本体設置個所は、前記カメラボディの前記側壁部に形成されていることを特徴とする請求項１に記載の撮像装置。
【請求項３】
前記撮像ユニットは、前記側壁部へ向かって接近させることにより前記凹部に装着可能とされ、
前記本体設置個所は、前記凹部側から見て、前記ボディ側コネクタ本体の周囲を取り囲む環状の嵌合溝を形成するように前記側壁部から奥まって形成され、
前記ユニット側コネクタ部の前記ユニット側コネクタカバー部分は、前記撮像ユニットが前記凹部に装着された状態において、前記嵌合溝内で互いに接合された前記ボディ側コネクタ部および前記ユニット側コネクタ部を取り囲むことを可能とすべく、前記筐体の前記左側面から環状に突出されて形成され、
前記封止部材は、前記嵌合溝内で前記ボディ側コネクタ本体を取り囲む環状を呈していることを特徴とする請求項１または請求項２に記載の撮像装置。
【請求項４】
前記カメラボディに前記撮像ユニットを装着すべく接近させる方向が、前記光学系の光軸に対して垂直であることを特徴とする請求項３に記載の撮像装置。
【請求項５】
前記撮像ユニット及び前記カメラボディのいずれか一方が、前記側壁部に向かって前記撮像ユニットを接近させる方向に延びるガイド溝を備え、前記撮像ユニット及び前記カメラボディのいずれか他方が、前記ガイド溝に挿入されるガイド部材を備え、
前記ガイド部材が前記ガイド溝に挿入された状態で、前記ガイド部材と前記ガイド溝とを摺動させて前記側壁部に向かって前記撮像ユニットを接近させることにより、前記ユニット側コネクタカバー部分が前記嵌合溝内で互いに接合された前記ボディ側コネクタ部および前記ユニット側コネクタ部を取り囲みつつ先端が前記封止部材に圧接することを特徴とする請求項３または請求項４に記載の撮像装置。
【請求項６】
前記撮像ユニットでは、前記凹部に装着される際、前記側壁部に前記筐体の前記左側面が当接することにより、前記凹部内で接近方向への前記カメラボディに対する位置決めが為されることを特徴とする請求項３ないし請求項５のいずれか１項に記載の撮像装置。
【請求項７】
前記ボディ側コネクタ部の前記本体設置個所は、前記背壁部から前記側壁部が立ち上がる方向で見て、該側壁部の中間に設けられ、
前記ユニット側コネクタ部の前記ユニット側コネクタカバー部分は、前記左側面において、前記光学系の光軸方向被写体側から見て、前記筐体の背面と前面との中間に設けられ、
前記左側面は、前記撮像ユニットが前記凹部に装着される際、互いに接合された前記ボディ側コネクタ部および前記ユニット側コネクタ部を挟むようにそれらの両側で前記側壁部に当接することを特徴とする請求項６に記載の撮像装置。
【請求項８】
前記ユニット側コネクタカバー部分の先端面には、環状の前記封止部材に全周に渡って対向するように、前記ユニット側コネクタカバー部分の環状方向に沿う環状を呈するリブが設けられていることを特徴とする請求項３ないし請求項７のいずれか１項に記載の撮像装置。
【請求項９】
直方体形状の筐体に光学系と撮像素子とユニット側コネクタ部とが設けられた撮像ユニットと、該撮像ユニットが着脱可能に配設される凹部とボディ側コネクタ部とを有するカメラボディとを含み、前記撮像ユニットを前記カメラボディに装着して被写体像を撮像する撮像装置であって、
前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部を有し、
前記ボディ側コネクタ部は、前記カメラボディの前記側壁部に形成された本体設置個所と、該本体設置個所に配置された電気的な接合のためのボディ側コネクタ本体と、を有し、
前記ユニット側コネクタ部は、前記撮像ユニットを前記凹部に装着すべく互いに接近させることにより前記ボディ側コネクタ本体に電気的に接合可能なユニット側コネクタ本体と、該ユニット側コネクタ本体の前記ボディ側コネクタ本体との接合を可能としつつ前記ユニット側コネクタ本体を取り囲むように前記筐体の前記左側面に設けられたユニット側コネクタカバー部分と、前記左側面上であって前記ユニット側コネクタ本体の周辺に設けられた封止部材と、を有し、
前記封止部材には、前記撮像ユニットが前記カメラボディに装着されて前記ボディ側コネクタ本体と前記ユニット側コネクタ本体とが電気的に接合されると、前記側壁部において前記本体設置個所の開口部周辺が圧接されることを特徴とする撮像装置。
【請求項１０】
前記撮像ユニットは、前記側壁部へ向かって接近させることにより前記凹部に装着可能とされ、
前記本体設置個所は、前記凹部側から見て、前記ボディ側コネクタ本体の周囲を取り囲む環状の嵌合溝を形成するように前記側壁部から奥まって形成され、
前記ユニット側コネクタ部の前記ユニット側コネクタカバー部分は、前記撮像ユニットが前記凹部に装着された状態において、前記嵌合溝内で互いに接合された前記ボディ側コネクタ部および前記ユニット側コネクタ部を取り囲むことを可能とすべく、前記筐体の前記左側面から環状に突出されて形成され、
前記封止部材は、前記左側面上で前記ユニット側コネクタ本体を取り巻くように配置されていることを特徴とする請求項９に記載の撮像装置。
【請求項１１】
前記カメラボディに前記撮像ユニットを装着すべく接近させる方向が、前記光学系の光軸に対して垂直であることを特徴とする請求項１０に記載の撮像装置。
【請求項１２】
前記撮像ユニット及び前記カメラボディのいずれか一方が、前記側壁部に向かって前記撮像ユニットを接近させる方向に延びるガイド溝を備え、前記撮像ユニット及び前記カメラボディのいずれか他方が、前記ガイド溝に挿入されるガイド部材を備え、
前記ガイド部材が前記ガイド溝に挿入された状態で、前記ガイド部材と前記ガイド溝とを摺動させて前記側壁部に向かって前記撮像ユニットを接近させることにより、前記ユニット側コネクタカバー部分が前記嵌合溝内で互いに接合された前記ボディ側コネクタ部および前記ユニット側コネクタ部を取り囲み、かつ前記側壁部において前記本体設置個所の開口部周辺が前記封止部材に圧接することを特徴とする請求項１０または請求項１１に記載の撮像装置。
【請求項１３】
前記撮像ユニットでは、前記凹部に装着される際、前記筐体の前記左側面が前記側壁部に当接することにより、前記凹部内で接近方向への前記カメラボディに対する位置決めが為されることを特徴とする請求項１０ないし請求項１２のいずれか１項に記載の撮像装置。
【請求項１４】
前記ボディ側コネクタ部の前記本体設置個所は、前記背壁部から前記側壁部が立ち上がる方向で見て、該側壁部の中間に設けられ、
前記ユニット側コネクタ部の前記ユニット側コネクタカバー部分は、前記左側面において、前記光学系の光軸方向被写体側から見て、前記筐体の背面と前面との中間に設けられ、
前記左側面は、前記撮像ユニットが前記凹部に装着される際、互いに接合された前記ボディ側コネクタ部および前記ユニット側コネクタ部を挟むようにそれらの両側で前記側壁部に当接することを特徴とする請求項１３に記載の撮像装置。
【請求項１５】
前記側壁部において前記本体設置個所の前記開口部周辺には、前記ユニット側コネクタ本体を取り巻く前記封止部材に対向するように、前記ユニット側コネクタカバー部分の環状方向に沿って延在するリブが設けられていることを特徴とする請求項１０ないし請求項１５のいずれか１項に記載の撮像装置。
【請求項１６】
直方体形状の筐体に光学系と撮像素子とユニット側コネクタ部とが設けられた撮像ユニットを着脱可能に配設する凹部と前記ユニット側コネクタ部に接合可能なボディ側コネクタ部とが設けられ、前記撮像ユニットと一体化されて被写体を撮影する撮像装置として用いられるカメラボディであって、
前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部から構成され、
前記撮像ユニットに形成された被ロック部材と協働して前記撮像ユニットをロックするロック部材を備え、
前記側壁部と前記上壁部との交差部分に、前記ロック機構による前記凹部での前記撮像ユニットのロックを解除するロック解除操作部材が配置され、
前記ボディ側コネクタ部は、前記撮像ユニットの装着のために該撮像ユニットが接近されることにより前記ユニット側コネクタ部への電気的な接合が可能なボディ側コネクタ本体と、該ボディ側コネクタ本体が配置され前記凹部から見て前記ボディ側コネクタ本体の周囲を取り囲む環状の嵌合溝を形成するように前記側壁部から奥まって形成された本体設置個所と、該本体設置個所内であって前記ボディ側コネクタ本体の周辺に設けられた封止部材と、を有することを特徴とするカメラボディ。
【請求項１７】
前記側壁部は、前記撮像ユニットが装着される際、前記凹部内で接近方向への前記撮像ユニットの位置決めのために、対向される前記筐体の前記左側面が当接されることを特徴とする請求項１６に記載のカメラボディ。
【請求項１８】
前記ボディ側コネクタ部の前記本体設置個所は、前記背壁部から前記側壁部が立ち上がる方向で見て、該側壁部の中間に設けられ、
前記側壁部は、前記撮像ユニットが装着される際、互いに接合された前記ボディ側コネクタ部および前記ユニット側コネクタ部を挟むようにそれらの両側に前記撮像ユニットの前記左側面が当接されることを特徴とする請求項１７に記載のカメラボディ。
【請求項１９】
直方体形状の筐体に光学系と撮像素子とユニット側コネクタ部とが設けられた撮像ユニットであって、
凹部と前記ユニット側コネクタ部に接合可能なボディ側コネクタ部とが設けられたカメラボディの前記凹部に配設されることにより前記カメラボディと一体化されて被写体を撮影する撮像装置として機能し、前記カメラボディが備えるロック部材と係合する被ロック部材を備え、
前記ユニット側コネクタ部は、前記凹部への装着のために該凹部に接近されることにより前記ボディ側コネクタ部への接合が可能なユニット側コネクタ本体と、間隔を置いて該ユニット側コネクタ本体を取り囲むように前記光学系の光軸方向被写体側から見た前記筐体の左側面から環状に突出されて形成されたユニット側コネクタカバー部分と、を有し、
前記被ロック部材が、前記ユニット側コネクタ部の前記ユニット側コネクタカバー部分の壁面に沿って配置され、
該ユニット側コネクタカバー部分は、前記凹部に装着された状態において、先端で前記ボディ側コネクタ部に設けられた封止部材を圧接しつつ、前記先端が前記ボディ側コネクタ部において前記封止部材が設けられた個所に到達することのない長さ寸法とされていることを特徴とする撮像ユニット。
【請求項２０】
前記筐体の前記左側面は、前記凹部に装着される際、該凹部内での接近方向への位置決めのために、対向される前記カメラボディの側壁部に当接され、
前記ユニット側コネクタ部の前記ユニット側コネクタカバー部分は、前記左側面において、前記光学系の光軸方向被写体側から見て、前記筐体の背面と前面との中間に設けられていることを特徴とする請求項１９に記載の撮像ユニット。
【請求項２１】
前記ユニット側コネクタカバー部分の前記先端面には、前記ユニット側コネクタカバー部分の環状方向に沿う環状を呈するリブが設けられていることを特徴とする請求項１９または請求項２０に記載の撮像ユニット。
【請求項２２】
直方体形状の筐体に光学系と撮像素子とユニット側コネクタ部とが設けられた撮像ユニットであって、
凹部と前記ユニット側コネクタ部に接合可能なボディ側コネクタ部とが設けられたカメラボディの前記凹部に配設されることにより前記カメラボディと一体化されて被写体を撮影する撮像装置として機能し、前記カメラボディが備えるロック部材と係合する被ロック部材を備え、
前記ユニット側コネクタ部は、前記凹部への装着のために該凹部に接近されることにより前記ボディ側コネクタ部への接合が可能なユニット側コネクタ本体と、間隔を置いて該ユニット側コネクタ本体を取り囲むように前記光学系の光軸方向被写体側から見た前記筐体の左側面から環状に突出されて形成されたユニット側コネクタカバー部分と、を有し、
前記被ロック部材が、前記ユニット側コネクタ部の前記ユニット側コネクタカバー部分の壁面に沿って配置され、
前記筐体の前記左側面には、前記ユニット側コネクタ部の前記ユニット側コネクタカバー部分を取り巻くように封止部材が設けられ、
該封止部材は、前記カメラボディに装着される際、前記左側面に対向される前記カメラボディの側壁部に圧接されることを特徴とする撮像ユニット。
【請求項２３】
直方体形状の筐体に光学系と撮像素子とユニット側コネクタ部とが設けられた撮像ユニットと、該撮像ユニットが着脱可能に配設される凹部とボディ側コネクタ部とを有するカメラボディとを含み、前記撮像ユニットを前記カメラボディに装着して被写体像を撮像する撮像装置であって、
前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部を有し、
前記撮像ユニットは、前記カメラボディに対して接近して該カメラボディに装着され、
該カメラボディの、前記撮像ユニットが前記カメラボディに接近する際に前記撮像ユニットに対向する位置、および、
該撮像ユニットの、該撮像ユニットが前記カメラボディに接近する際に前記カメラボディに対向する位置、のいずれかに防水部材が配置され、
前記カメラボディと前記撮像ユニットとが装着されている時には、前記カメラボディおよび前記撮像ユニットによって前記防水部材が圧縮されることを特徴とする撮像装置。
【発明の詳細な説明】
【技術分野】
【０００１】
本発明は、撮像ユニットの着脱可能なカメラボディの組み合わせ体からなる撮像装置、それに用いられるカメラボディ、およびカメラボディに着脱される撮像ユニットの改良に関する。
【背景技術】
【０００２】
従来から、カメラボディに対して撮像ユニットが着脱可能な撮像装置が知られている（例えば、特許文献１参照。）。
【０００３】
この従来の撮像装置では、カメラボディは撮像ユニットを着脱可能に格納する格納凹部を有する。この格納凹部は背壁部と、この背壁部と一体の上壁部と下壁部と側壁部とにより構成されている。そのカメラボディには、側壁部から遠い側に背壁部と上壁部と下壁部とによって構成される着脱開口が設けられている。
【０００４】
撮像ユニットをその着脱開口に臨ませ、背壁部に沿って側壁部に向かって押し込むことにより、撮像ユニットがカメラボディに収容される。その逆に、撮像ユニットを背面壁部に沿って側壁部から遠ざかる方向に引き抜くことにより、撮像ユニットはカメラボディから取り外される。
【発明の概要】
【発明が解決しようとする課題】
【０００５】
しかしながら、この従来の撮像装置では、格納凹部が背壁部と上壁部と下壁部と側壁部との四方向の壁部により囲まれ、カメラボディと撮像ユニットとは一対一の対応関係を強いられているので、撮像ユニットや形状の設計自由度が小さい。
【０００６】
また、カメラボディに対する撮像ユニットの誤操作を回避しつつ着脱操作を容易に行うことができることが望ましい。
【０００７】
本発明は、上記の事情に鑑みて為されたもので、カメラボディと撮像ユニットとの対応関係をより緩やかにして、様々な撮像ユニットを組み合わせることが容易でかつ耐久性を向上させることができる撮像装置およびそのカメラボディおよび撮像ユニットを提供することを目的とする。
【課題を解決するための手段】
【０００８】
請求項１に記載の撮像装置は、直方体形状の筐体に光学系と撮像素子とユニット側コネクタ部とが設けられた撮像ユニットと、該撮像ユニットが着脱可能に配設される凹部とボディ側コネクタ部とを有するカメラボディとを含み、前記撮像ユニットを前記カメラボディに装着して被写体像を撮像する撮像装置であって、前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部を有し、前記ボディ側コネクタ部は、本体設置個所と、該本体設置個所に配置された電気的な接合のためのボディ側コネクタ本体と、前記本体設置個所内であって前記ボディ側コネクタ本体の周辺に設けられた封止部材と、を有し、前記ユニット側コネクタ部は、前記撮像ユニットを前記凹部に装着すべく互いに接近させることにより前記ボディ側コネクタ本体と電気的に接合可能なユニット側コネクタ本体と、該ユニット側コネクタ本体の前記ボディ側コネクタ本体との接合を可能としつつ前記ユニット側コネクタ本体を取り囲むユニット側コネクタカバー部分と、を有し、前記封止部材には、前記撮像ユニットが前記凹部に装着されて前記ボディ側コネクタ本体と前記ユニット側コネクタ本体とが電気的に接合されると、前記ユニット側コネクタカバー部分の先端が圧接されることを特徴とする。
【０００９】
請求項２に記載の撮像装置は、請求項１に記載の撮像装置であって、前記本体設置個所は、前記カメラボディの前記側壁部に形成されていることを特徴とする。
【００１０】
請求項３に記載の撮像装置は、請求項１または請求項２に記載の撮像装置であって、前記撮像ユニットは、前記側壁部へ向かって接近させることにより前記凹部に装着可能とされ、前記本体設置個所は、前記凹部側から見て、前記ボディ側コネクタ本体の周囲を取り囲む環状の嵌合溝を形成するように前記側壁部から奥まって形成され、前記ユニット側コネクタ部の前記ユニット側コネクタカバー部分は、前記撮像ユニットが前記凹部に装着された状態において、前記嵌合溝内で互いに接合された前記ボディ側コネクタ部および前記ユニット側コネクタ部を取り囲むことを可能とすべく、前記筐体の前記左側面から環状に突出されて形成され、前記封止部材は、前記嵌合溝内で前記ボディ側コネクタ本体を取り囲む環状を呈していることを特徴とする。
【００１１】
請求項４に記載の撮像装置は、請求項３に記載の撮像装置であって、前記カメラボディに前記撮像ユニットを装着すべく接近させる方向が、前記光学系の光軸に対して垂直であることを特徴とする。
【００１２】
請求項５に記載の撮像装置は、請求項３または請求項４に記載の撮像装置であって、前記撮像ユニット及び前記カメラボディのいずれか一方が、前記側壁部に向かって前記撮像ユニットを接近させる方向に延びるガイド溝を備え、前記撮像ユニット及び前記カメラボディのいずれか他方が、前記ガイド溝に挿入されるガイド部材を備え、前記ガイド部材が前記ガイド溝に挿入された状態で、前記ガイド部材と前記ガイド溝とを摺動させて前記側壁部に向かって前記撮像ユニットを接近させることにより、前記ユニット側コネクタカバー部分が前記嵌合溝内で互いに接合された前記ボディ側コネクタ部および前記ユニット側コネクタ部を取り囲みつつ先端が前記封止部材に圧接することを特徴とする。
【００１３】
請求項６に記載の撮像装置は、請求項３ないし請求項５のいずれか１項に記載の撮像装置であって、前記撮像ユニットでは、前記凹部に装着される際、前記側壁部に前記筐体の前記左側面が当接することにより、前記凹部内で接近方向への前記カメラボディに対する位置決めが為されることを特徴とする。
【００１４】
請求項７に記載の撮像装置は、請求項６に記載の撮像装置であって、前記ボディ側コネクタ部の前記本体設置個所は、前記背壁部から前記側壁部が立ち上がる方向で見て、該側壁部の中間に設けられ、前記ユニット側コネクタ部の前記ユニット側コネクタカバー部分は、前記左側面において、前記光学系の光軸方向被写体側から見て、前記筐体の背面と前面との中間に設けられ、前記左側面は、前記撮像ユニットが前記凹部に装着される際、互いに接合された前記ボディ側コネクタ部および前記ユニット側コネクタ部を挟むようにそれらの両側で前記側壁部に当接することを特徴とする。
【００１５】
請求項８に記載の撮像装置は、請求項３ないし請求項７のいずれか１項に記載の撮像装置であって、前記ユニット側コネクタカバー部分の先端面には、環状の前記封止部材に全周に渡って対向するように、前記ユニット側コネクタカバー部分の環状方向に沿う環状を呈するリブが設けられていることを特徴とする。
【００１６】
請求項９に記載の撮像装置は、直方体形状の筐体に光学系と撮像素子とユニット側コネクタ部とが設けられた撮像ユニットと、該撮像ユニットが着脱可能に配設される凹部とボディ側コネクタ部とを有するカメラボディとを含み、前記撮像ユニットを前記カメラボディに装着して被写体像を撮像する撮像装置であって、前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部を有し、前記ボディ側コネクタ部は、前記カメラボディの前記側壁部に形成された本体設置個所と、該本体設置個所に配置された電気的な接合のためのボディ側コネクタ本体と、を有し、前記ユニット側コネクタ部は、前記撮像ユニットを前記凹部に装着すべく互いに接近させることにより前記ボディ側コネクタ本体に電気的に接合可能なユニット側コネクタ本体と、該ユニット側コネクタ本体の前記ボディ側コネクタ本体との接合を可能としつつ前記ユニット側コネクタ本体を取り囲むように前記筐体の前記左側面に設けられたユニット側コネクタカバー部分と、前記左側面上であって前記ユニット側コネクタ本体の周辺に設けられた封止部材と、を有し、前記封止部材には、前記撮像ユニットが前記カメラボディに装着されて前記ボディ側コネクタ本体と前記ユニット側コネクタ本体とが電気的に接合されると、前記側壁部において前記本体設置個所の開口部周辺が圧接されることを特徴とする。
【００１７】
請求項１０に記載の撮像装置は、請求項９に記載の撮像装置であって、前記撮像ユニットは、前記側壁部へ向かって接近させることにより前記凹部に装着可能とされ、前記本体設置個所は、前記凹部側から見て、前記ボディ側コネクタ本体の周囲を取り囲む環状の嵌合溝を形成するように前記側壁部から奥まって形成され、前記ユニット側コネクタ部の前記ユニット側コネクタカバー部分は、前記撮像ユニットが前記凹部に装着された状態において、前記嵌合溝内で互いに接合された前記ボディ側コネクタ部および前記ユニット側コネクタ部を取り囲むことを可能とすべく、前記筐体の前記左側面から環状に突出されて形成され、前記封止部材は、前記左側面上で前記ユニット側コネクタ本体を取り巻くように配置されていることを特徴とする。
【００１８】
請求項１１に記載の撮像装置は、請求項１０に記載の撮像装置であって、前記カメラボディに前記撮像ユニットを装着すべく接近させる方向が、前記光学系の光軸に対して垂直であることを特徴とする。
【００１９】
請求項１２に記載の撮像装置は、請求項１０または請求項１１に記載の撮像装置であって、前記撮像ユニット及び前記カメラボディのいずれか一方が、前記側壁部に向かって前記撮像ユニットを接近させる方向に延びるガイド溝を備え、前記撮像ユニット及び前記カメラボディのいずれか他方が、前記ガイド溝に挿入されるガイド部材を備え、前記ガイド部材が前記ガイド溝に挿入された状態で、前記ガイド部材と前記ガイド溝とを摺動させて前記側壁部に向かって前記撮像ユニットを接近させることにより、前記ユニット側コネクタカバー部分が前記嵌合溝内で互いに接合された前記ボディ側コネクタ部および前記ユニット側コネクタ部を取り囲み、かつ前記側壁部において前記本体設置個所の開口部周辺が前記封止部材に圧接することを特徴とする。
【００２０】
請求項１３に記載の撮像装置は、請求項１０ないし請求項１２のいずれか１項に記載の撮像装置であって、前記撮像ユニットでは、前記凹部に装着される際、前記筐体の前記左側面が前記側壁部に当接することにより、前記凹部内で接近方向への前記カメラボディに対する位置決めが為されることを特徴とする。
【００２１】
請求項１４に記載の撮像装置は、請求項１３に記載の撮像装置であって、前記ボディ側コネクタ部の前記本体設置個所は、前記背壁部から前記側壁部が立ち上がる方向で見て、該側壁部の中間に設けられ、前記ユニット側コネクタ部の前記ユニット側コネクタカバー部分は、前記左側面において、前記光学系の光軸方向被写体側から見て、前記筐体の背面と前面との中間に設けられ、前記左側面は、前記撮像ユニットが前記凹部に装着される際、互いに接合された前記ボディ側コネクタ部および前記ユニット側コネクタ部を挟むようにそれらの両側で前記側壁部に当接することを特徴とする。
【００２２】
請求項１５に記載の撮像装置は、請求項１０ないし請求項１５のいずれか１項に記載の撮像装置であって、前記側壁部において前記本体設置個所の前記開口部周辺には、前記ユニット側コネクタ本体を取り巻く前記封止部材に対向するように、前記ユニット側コネクタカバー部分の環状方向に沿って延在するリブが設けられていることを特徴とする。
【００２３】
請求項１６に記載のカメラボディは、直方体形状の筐体に光学系と撮像素子とユニット側コネクタ部とが設けられた撮像ユニットを着脱可能に配設する凹部と前記ユニット側コネクタ部に接合可能なボディ側コネクタ部とが設けられ、前記撮像ユニットと一体化されて被写体を撮影する撮像装置として用いられるカメラボディであって、前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部から構成され、前記撮像ユニットに形成された被ロック部材と協働して前記撮像ユニットをロックするロック部材を備え、前記側壁部と前記上壁部との交差部分に、前記ロック機構による前記凹部での前記撮像ユニットのロックを解除するロック解除操作部材が配置され、前記ボディ側コネクタ部は、前記撮像ユニットの装着のために該撮像ユニットが接近されることにより前記ユニット側コネクタ部への電気的な接合が可能なボディ側コネクタ本体と、該ボディ側コネクタ本体が配置され前記凹部から見て前記ボディ側コネクタ本体の周囲を取り囲む環状の嵌合溝を形成するように前記側壁部から奥まって形成された本体設置個所と、該本体設置個所内であって前記ボディ側コネクタ本体の周辺に設けられた封止部材と、を有することを特徴とする。
【００２４】
請求項１７に記載のカメラボディは、請求項１６に記載のカメラボディであって、前記側壁部は、前記撮像ユニットが装着される際、前記凹部内で接近方向への前記撮像ユニットの位置決めのために、対向される前記筐体の前記左側面が当接されることを特徴とする。
【００２５】
請求項１８に記載のカメラボディは、請求項１７に記載のカメラボディであって、前記ボディ側コネクタ部の前記本体設置個所は、前記背壁部から前記側壁部が立ち上がる方向で見て、該側壁部の中間に設けられ、前記側壁部は、前記撮像ユニットが装着される際、互いに接合された前記ボディ側コネクタ部および前記ユニット側コネクタ部を挟むようにそれらの両側に前記撮像ユニットの前記左側面が当接されることを特徴とする。
【００２６】
請求項１９に記載の撮像ユニットは、直方体形状の筐体に光学系と撮像素子とユニット側コネクタ部とが設けられた撮像ユニットであって、凹部と前記ユニット側コネクタ部に接合可能なボディ側コネクタ部とが設けられたカメラボディの前記凹部に配設されることにより前記カメラボディと一体化されて被写体を撮影する撮像装置として機能し、前記カメラボディが備えるロック部材と係合する被ロック部材を備え、前記ユニット側コネクタ部は、前記凹部への装着のために該凹部に接近されることにより前記ボディ側コネクタ部への接合が可能なユニット側コネクタ本体と、間隔を置いて該ユニット側コネクタ本体を取り囲むように前記光学系の光軸方向被写体側から見た前記筐体の左側面から環状に突出されて形成されたユニット側コネクタカバー部分と、を有し、前記被ロック部材が、前記ユニット側コネクタ部の前記ユニット側コネクタカバー部分の壁面に沿って配置され、該ユニット側コネクタカバー部分は、前記凹部に装着された状態において、先端で前記ボディ側コネクタ部に設けられた封止部材を圧接しつつ、前記先端が前記ボディ側コネクタ部において前記封止部材が設けられた個所に到達することのない長さ寸法とされていることを特徴とする。
【００２７】
請求項２０に記載の撮像ユニットは、請求項１９に記載の撮像ユニットであって、前記筐体の前記左側面は、前記凹部に装着される際、該凹部内での接近方向への位置決めのために、対向される前記カメラボディの側壁部に当接され、前記ユニット側コネクタ部の前記ユニット側コネクタカバー部分は、前記左側面において、前記光学系の光軸方向被写体側から見て、前記筐体の背面と前面との中間に設けられていることを特徴とする。
【００２８】
請求項２１に記載の撮像ユニットは、請求項１９または請求項２０に記載の撮像ユニットであって、前記ユニット側コネクタカバー部分の前記先端面には、前記ユニット側コネクタカバー部分の環状方向に沿う環状を呈するリブが設けられていることを特徴とする。
【００２９】
請求項２２に記載の撮像ユニットは、直方体形状の筐体に光学系と撮像素子とユニット側コネクタ部とが設けられた撮像ユニットであって、凹部と前記ユニット側コネクタ部に接合可能なボディ側コネクタ部とが設けられたカメラボディの前記凹部に配設されることにより前記カメラボディと一体化されて被写体を撮影する撮像装置として機能し、前記カメラボディが備えるロック部材と係合する被ロック部材を備え、前記ユニット側コネクタ部は、前記凹部への装着のために該凹部に接近されることにより前記ボディ側コネクタ部への接合が可能なユニット側コネクタ本体と、間隔を置いて該ユニット側コネクタ本体を取り囲むように前記光学系の光軸方向被写体側から見た前記筐体の左側面から環状に突出されて形成されたユニット側コネクタカバー部分と、を有し、前記被ロック部材が、前記ユニット側コネクタ部の前記ユニット側コネクタカバー部分の壁面に沿って配置され、前記筐体の前記左側面には、前記ユニット側コネクタ部の前記ユニット側コネクタカバー部分を取り巻くように封止部材が設けられ、該封止部材は、前記カメラボディに装着される際、前記左側面に対向される前記カメラボディの側壁部に圧接されることを特徴とする。
【００３０】
請求項２３に記載の撮像装置は、直方体形状の筐体に光学系と撮像素子とユニット側コネクタ部とが設けられた撮像ユニットと、該撮像ユニットが着脱可能に配設される凹部とボディ側コネクタ部とを有するカメラボディとを含み、前記撮像ユニットを前記カメラボディに装着して被写体像を撮像する撮像装置であって、前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部を有し、前記撮像ユニットは、前記カメラボディに対して接近して該カメラボディに装着され、該カメラボディの、前記撮像ユニットが前記カメラボディに接近する際に前記撮像ユニットに対向する位置、および、該撮像ユニットの、該撮像ユニットが前記カメラボディに接近する際に前記カメラボディに対向する位置、のいずれかに防水部材が配置され、前記カメラボディと前記撮像ユニットとが装着されている時には、前記カメラボディおよび前記撮像ユニットによって前記防水部材が圧縮されることを特徴とする。
【発明の効果】
【００３１】
請求項１に記載の撮像装置では、撮像ユニットをカメラボディ（凹部）に装着されてボディ側コネクタ本体とユニット側コネクタ本体とが電気的に接合されると、ユニット側コネクタカバー部分の先端が圧接されることから、撮像ユニットをカメラボディへと装着するだけで確実に防塵および防水（防滴）効果を得ることができる。このため、撮像ユニットおよびカメラボディ、特に、ユニット側コネクタ部およびボディ側コネクタ部とそれらに通じる電気的な構成個所の耐久性を向上させることができる。
【００３２】
また、封止部材がカメラボディに設けられていることから、交換される撮像ユニット毎に封止部材を設ける必要がないので、撮像ユニットをより簡易な構成とすることができ、コストを低減することができる。
【００３３】
請求項２に記載の撮像装置では、ボディ側コネクタ部の本体設置個所が側壁部に形成されていることから、そこに配置されるボディ側コネクタ本体に不用意に触られることを防止することができる。
【００３４】
請求項３に記載の撮像装置では、環状に突出されたユニット側コネクタカバー部分の先端が、凹部から奥まった本体設置個所により形成された嵌合溝の内部で封止部材を圧接することから、より確実に防塵および防水（防滴）効果を得ることができる。
【００３５】
また、ボディ側コネクタ部の本体設置個所に配置されるボディ側コネクタ本体および封止部材に不用意に触られることをより確実に防止することができる。
【００３６】
請求項４に記載の撮像装置では、撮像ユニットを装着する際に、その光学系の光軸方向とは直交する方向に筐体を押圧すればよいので、光学系（例えばレンズ）を押圧してしまう虞を低減することができる。
【００３７】
請求項５に記載の撮像装置では、撮像ユニットをカメラボディ（凹部）に装着することが容易であるとともに、その装着動作に伴って両コネクタ部を適切に接合することができ、その両コネクタ部間での防塵および防水（防滴）効果を確実に得ることができる。
【００３８】
請求項６に記載の撮像装置では、例えば、撮像ユニットをカメラボディの凹部に装着する際に装着方向に余分な力が付与されたとしても、当該力は筐体の左側面が側壁部を押圧するように作用するので、両コネクタ部に、その装着に伴う無理な力が加わるのを抑制することができる。
【００３９】
請求項７に記載の撮像装置では、筐体の左側面が側壁部に当接することによる、凹部内での撮像ユニット（筐体）の安定性をより高めることができる。
【００４０】
請求項８に記載の撮像装置では、カメラボディの封止部材に撮像ユニットのユニット側コネクタカバー部分のリブを減り込ませるだけでよいことから、カメラボディと撮像ユニットとの装着方向への相対的な押圧力をより小さなものとすることができる。
【００４１】
請求項９に記載の撮像装置では、撮像ユニットをカメラボディ（凹部）に装着されてボディ側コネクタ本体とユニット側コネクタ本体とが電気的に接合されると、側壁部において本体設置個所の開口部周辺が封止部材に圧接されることから、撮像ユニットをカメラボディへと装着するだけで確実に防塵および防水（防滴）効果を得ることができる。このため、撮像ユニットおよびカメラボディ、特に、ユニット側コネクタ部およびボディ側コネクタ部とそれらに通じる電気的な構成個所の耐久性を向上させることができる。
【００４２】
また、封止部材が撮像ユニットに設けられていることから、例えば、バージョンアップのために新たな撮像ユニットを装着する場面では、新たな封止部材により封止することができるので、より確実な防塵・防水（防滴）効果を得ることができる。
【００４３】
請求項１０に記載の撮像装置では、側壁部における本体設置個所の開口部周辺個所で、環状に突出されたユニット側コネクタカバー部分を取り巻くように配置された封止部材を圧接することから、より確実に防塵および防水（防滴）効果を得ることができる。
【００４４】
請求項１１に記載の撮像装置では、撮像ユニットを装着する際に、その光学系の光軸方向とは直交する方向に筐体を押圧すればよいので、光学系（例えばレンズ）を押圧してしまう虞を低減することができる。
【００４５】
請求項１２に記載の撮像装置では、撮像ユニットをカメラボディ（凹部）に装着することが容易であるとともに、その装着動作に伴って両コネクタ部を適切に接合することができ、その両コネクタ部間での防塵および防水（防滴）効果を確実に得ることができる。
【００４６】
請求項１３に記載の撮像装置では、例えば、撮像ユニットをカメラボディの凹部に装着する際に装着方向に余分な力が付与されたとしても、当該力は筐体の左側面が側壁部を押圧するように作用するので、両コネクタ部に、その装着に伴う無理な力が加わるのを抑制することができる。
【００４７】
請求項１４に記載の撮像装置では、筐体の左側面が側壁部に当接することによる、凹部内での撮像ユニット（筐体）の安定性をより高めることができる。
【００４８】
請求項１５に記載の撮像装置では、撮像ユニットのユニット側コネクタカバー部分の封止部材にカメラボディの側壁部のリブを減り込ませるだけでよいことから、カメラボディと撮像ユニットとの装着方向への相対的な押圧力をより小さなものとすることができる。
【００４９】
請求項１６に記載のカメラボディでは、撮像ユニットが凹部に装着される際に、嵌合溝に設けられた封止部材が圧接されることで、嵌合溝内でコネクタ部と撮像ユニットのコネクタ部との間を封止させることができる。このため、カメラボディ（そこに装着される撮像ユニット）、特に、ボディ側コネクタ部（そこに接合されるユニット側コネクタ部）とそれらに通じる電気的な構成個所の耐久性を向上させることができる。
【００５０】
また、封止部材が設けられていることから、交換される撮像ユニット毎に封止部材を設ける必要がないので、撮像ユニットをより簡易な構成とすることができ、コストを低減することができる。
【００５１】
請求項１７に記載のカメラボディでは、例えば、撮像ユニットが凹部に装着される際に装着方向に余分な力が付与されたとしても、当該力は筐体の左側面が側壁部を押圧するように作用するので、ボディ側コネクタ部（そこに接合されるユニット側コネクタ部）に、その装着に伴う無理な力が加わるのを抑制することができる。
【００５２】
請求項１８に記載のカメラボディでは、筐体の左側面が側壁部に当接することによる、凹部内での撮像ユニット（筐体）の安定性をより高めることができる。
【００５３】
請求項１９に記載の撮像ユニットでは、撮像ユニットが凹部に装着される際に、ユニット側コネクタカバー部分の先端が嵌合溝に設けられた封止部材を圧接することで、嵌合溝内でコネクタ部と撮像ユニットのコネクタ部との間を封止させることができる。このため、カメラボディ（そこに装着される撮像ユニット）、特に、ボディ側コネクタ部（そこに接合されるユニット側コネクタ部）とそれらに通じる電気的な構成個所の耐久性を向上させることができる。
【００５４】
また、ユニット側コネクタカバー部分が、凹部に装着された状態において、先端がボディ側コネクタ部において封止部材が設けられた個所に到達することのない長さ寸法とされていることから、例えば、撮像ユニットをカメラボディの凹部に装着する際に装着方向に余分な力が付与されたとしても、当該力はユニット側コネクタ部でボディ側コネクタ部を押圧するように作用することはないので、両コネクタ部に、その装着に伴う無理な力が加わるのを防止することができる。
【００５５】
請求項２０に記載の撮像ユニットでは、筐体の左側面が側壁部に当接することによる、凹部内での撮像ユニット（筐体）の安定性をより高めることができる。
【００５６】
請求項２１に記載の撮像ユニットでは、カメラボディの封止部材に撮像ユニットのユニット側コネクタカバー部分のリブを減り込ませるだけでよいことから、カメラボディと撮像ユニットとの装着方向への相対的な押圧力をより小さなものとすることができる。
【００５７】
請求項２２に記載の撮像ユニットでは、撮像ユニットが凹部に装着される際に、側壁部における本体設置個所の開口部周辺個所で、環状に突出されたユニット側コネクタカバー部分を取り巻くように配置された封止部材を圧接することから、嵌合溝内でコネクタ部と撮像ユニットのコネクタ部との間を封止させることができる。このため、撮像ユニット（それが装着されるカメラボディ）、特に、ユニット側コネクタ部（そこに接合されるボディ側コネクタ部）とそれらに通じる電気的な構成個所の耐久性を向上させることができる。
【００５８】
請求項２３に記載の撮像装置では、カメラボディ（凹部）と撮像ユニットとが装着されている時、互いに対向する間に配置された防水部材が圧縮されることから、カメラボディと撮像ユニットとを装着するだけで確実に防塵および防水（防滴）効果を得ることができる。
【図面の簡単な説明】
【００５９】
【図１（ａ）】図１（ａ）は本発明が適用されるカメラボディと撮像ユニットとの装着状態を示す説明図であって、カメラボディと撮像ユニットとからなる撮像装置を正面側から見た外観図である。
【図１（ｂ）】図１（ｂ）は本発明が適用されるカメラボディと別の撮像ユニットとの装着状態を示す説明図であって、カメラボディと撮像ユニットとからなる撮像装置を正面側から見た外観図である。
【図２】図２は図１に示す撮像ユニットを背面側から見た外観図である。
【図３】図３は図１に示すカメラボディに対する撮像ユニットの装着前の状態又は抜き取り後の状態を示す説明図であって、カメラボディと撮像ユニットとに向かって右斜め方向からこのカメラボディと撮像ユニットとを見た図である。
【図４】図４は図１に示すカメラボディに対する撮像ユニットの装着前の状態又は抜き取り後の状態を示す説明図であって、カメラボディと撮像ユニットとに向かって左斜め方向からこのカメラボディと撮像ユニットとを見た図である。
【図５】図５は本発明が適用されるカメラボディを示す外観図であって、このカメラボディを正面側から見た図である。
【図６】図６は本発明が適用される撮像ユニットの外観図であって、この撮像ユニットを背面側から見た図である。
【図７】図７は本発明が適用されるカメラボディを正面側から見た図である。
【図８】図８は図７に示す板金部材の外観形状を示す斜視図であって、カメラボディ１の正面側から見た図である。
【図９】図９は図７に示す板金部材の外観形状を示す斜視図であって、図８に示す板金部材を裏面側から見た図である。
【図１０】図１０は図８、図９に示す板金部材の断面図である。
【図１１】図１１は図１０に示す板金部材の部分拡大断面図である。
【図１２】図１２は図８、図９に示す係合板部と撮像ユニットとの係合関係を説明するための部分拡大断面図である。
【図１３】図１３は図１に示す撮像ユニットとロック兼用ロック解除部材との噛み合い関係を説明するための斜視図である。
【図１４】図１４は図１３に示すロック兼用ロック解除部材と被ロック部材との噛み合い関係を示す部分拡大図である。
【図１５】図１５は図１４に示すロック部材の平面図である。
【図１６】図１６は図１５に示すロック部材の斜視図である。
【図１７】図１７は図１４に示すロック解除部材の平面図である。
【図１８】図１８は図１７に示すロック解除部材の斜視図である。
【図１９】図１９は図５のＩ−Ｉ線に沿って得られた模式的な断面図である。
【図２０】図２０は図５のII−II線に沿って得られた模式的な断面図である。
【図２１】図２１は実施例１のカメラボディのコネクタ部の構成を示す模式的な斜視図である。
【図２２】図２２は図６のIII−III線に沿って得られた模式的な断面図である。
【図２３】図２３はカメラボディのコネクタ部と撮像ユニットのコネクタ部とが接合された様子を説明するための図１９および図２２と同様の断面図である。
【図２４】図２４は実施例２の撮像ユニットを示す図６と同様の模式的な斜視図である。
【図２５】図２５は実施例２の撮像ユニットのリブを説明するためにその周辺を拡大して示す図１９と同様の断面図である。
【図２６】図２６は実施例２のカメラボディのコネクタ部と撮像ユニットのコネクタ部とが接合された様子を説明するための図２３と同様の断面図である。
【図２７】図２７は実施例３のカメラボディのコネクタ部を説明するための図１９と同様の断面図である。
【図２８】図２８は実施例３のカメラボディのコネクタ部を説明するための図２０と同様の断面図である。
【図２９】図２９は実施例３の撮像ユニットを示す図６と同様の模式的な斜視図である。
【図３０】図３０は実施例３の撮像ユニットを説明するための図１９と同様の断面図である。
【図３１】図３１は実施例３のカメラボディのコネクタ部と撮像ユニットのコネクタ部とが接合された様子を説明するための図２３と同様の断面図である。
【図３２】図３２は実施例４の撮像ユニットを説明するための図１９と同様の断面図である。
【図３３】図３３は実施例４のカメラボディのコネクタ部と撮像ユニットのコネクタ部とが接合された様子を説明するための図２３と同様の断面図である。
【図３４】図３４は実施例５のカメラボディのコネクタ部を説明するための図１９と同様の断面図である。
【図３５】図３５は実施例５の撮像ユニットを示す図６と同様の模式的な斜視図である。
【図３６】図３６は実施例５の撮像ユニットを説明するための図１９と同様の断面図である。
【図３７】図３７は実施例５のカメラボディのコネクタ部と撮像ユニットのコネクタ部とが接合された様子を説明するための図２３と同様の断面図である。
【図３８】図３８は実施例６のカメラボディのコネクタ部と撮像ユニットのコネクタ部とが接合された様子を説明するための図２３と同様の断面図である。
【図３９】図３９は実施例７のカメラボディを説明するための図３４と同様の断面図である。
【図４０】図４０は実施例７のカメラボディのコネクタ部と撮像ユニットのコネクタ部とが接合された様子を説明するための図３７と同様の断面図である。
【図４１】図４１は本発明に係わる撮像装置の別の例を示す外観図である。
【図４２】図４２は図４１に示すカメラボディの外観図である。
【図４３】図４３は図４１に示す撮像ユニットの外観図である。
【図４４】図４４は図４２に示すロック部材と被係合部材との噛み合い関係を説明するための斜視図である。
【図４５】図４５は図４４に示すロック部材と被係合部材との噛み合い関係を示す部分拡大図である。
【図４６】図４６は図４５に示すロック部材の平面図である。
【図４７】図４７は図４６に示すロック部材の斜視図である。
【図４８】図４８は図４５に示すロック解除部材の平面図である。
【図４９】図４９は図４８に示すロック解除部材の斜視図である。
【図５０】図５０は図１に示すカメラボディと撮像ユニットとからなる撮像ユニットの変形例を示す説明図であって、撮像ユニット側の板金部材の係合爪とカメラボディ側の板金部材の係合板部とに相当する部分を破断して背面側から見た外観図である。
【図５１】図５１は図１に示すカメラボディと撮像ユニットとからなる撮像ユニットの変形例を示す説明図であって、撮像ユニット側の樹脂板の摺接リブの部分を破断して背面側から見た外観図である。
【図５２】図５２は図１、図４１に示す撮像ユニットの変形例を説明するための部分拡大断面図であって、図５１に示す撮像ユニットの破断部分に対応する図である。
【図５３】図５３は図５２に示す板金部材を撮像ユニットの正面側から見た斜視図である。
【図５４】図５４は図５３に示す板金部材を撮像ユニットの背面側から見た斜視図である。
【図５５】図５５は図５２に示す樹脂板を撮像ユニットの背面側から見た斜視図である。
【図５６】図５６は図５２に示す樹脂板を撮像ユニットの正面側から見た斜視図である。
【図５７】図５７は図５４に示す板金部材と図５５に示す樹脂板とを一体化した板金部材ユニットの斜視図である。
【図５８】図５８は図１、図４１に示す撮像装置に内蔵される電装部品の一例を示す回路図である。
【図５９】図５９は図１、図４１に示す撮像装置に内蔵される電装部品の他の例を示す回路図である。
【図６０】図６０は図１、図４１に示す撮像ユニットの筐体内部に配設する電装基盤の第１例を示す模式図である。
【図６１】図６１は図１、図４１に示す撮像ユニットの筐体内部に配設する電装基盤の第２例を示す模式図である。
【図６２】図６２は図６１に示す電装基盤を正面から見た状態を示す模式図である。
【図６３】図６３は図６２に示す電装基盤の配置関係の別の例を示す模式図である。
【図６４】図６４はカメラボディを背面側から目視した状態であってた状態であって電子ビューファインダーのカメラボディへの装着前の状態を示す外観図である。
【図６５】図６５はカメラボディを背面側から目視した状態であって電子ビューファインダーのカメラボディへの装着状態を示す外観図である。
【図６６】図６６はカメラボディを正面側から目視した状態であって電子ビューファインダーのカメラボディへの装着前の状態を示す外観図である。
【図６７】図６７はカメラボディを正面から目視した状態であって電子ビューファインダーのカメラボディへの装着状態を示す外観図である。
【発明を実施するための形態】
【実施例１】
【００６０】
（カメラボディ１、撮像ユニット２の概略説明）
図１（ａ）、図１（ｂ）、図２は、本発明に係わる直方体形状の筐体を有する撮像ユニットをカメラボディに装着した状態を示す。
【００６１】
その図１（ａ）、図１（ｂ）、図２において、１はカメラボディ、２は撮像ユニットであり、カメラボディ１（後述する凹部１Ａ）に撮像ユニット２が装着されて撮像装置１０を形成している。撮像ユニット２は直方体形状の筐体２Ａを有する。ここでは、撮像ユニット２は撮像光学系と撮像素子とを備えた交換レンズ鏡胴ユニットからなる。その筐体２Ａは、その正面２ａにレンズ鏡胴３を有する。撮像ユニット２は、図３、図４に示すように、カメラボディ１に対して着脱可能とされている。そのレンズ鏡胴３は、図１に示すように、案内筒３ａと可動鏡筒３ｂとから構成される。案内筒３ａには可動鏡筒３ｂが光軸Ｏの延びる方向に進退可能に配設される。その可動鏡筒３ｂにはズームレンズ等のレンズ系が設けられる。このレンズ系を含む撮像光学系により、被写体像が撮像素子に結像される。このカメラボディ１には、大きさの異なる撮像ユニット２が交換可能に装着されるようにしても良い（図１（ｂ）参照）。この図１（ｂ）に示す撮像ユニット２は、大きさの異なる撮像素子、大きさの異なるレンズ鏡胴３を有していても良い。その図１（ｂ）には、一例として、図１（ａ）に示す撮像ユニット２のレンズ鏡胴３の大きさと筐体２Ａの大きさとが異なる撮像ユニット２をカメラボディ１に装着した状態が示されている。
（カメラボディ１の詳細説明）
そのカメラボディ１は、図３〜図５に示すように、筐体２Ａの配設空間としての凹部１Ａを有する。その凹部１Ａは、樹脂製の背壁部（背面壁構成体）１Ｂと側壁部（側面壁構成体）１Ｃと上壁部（上面壁構成体）１Ｄとの三つの壁部により構成される。その背壁部１Ｂと側壁部１Ｃとは互いに直交している。その上壁部１Ｄは両壁部１Ｂ、１Ｃに対して直交している。
【００６２】
背壁部１Ｂには、凹部１Ａに撮像ユニット２を装着又は配設してこの撮像ユニット２を正面、すなわち、光学系の光軸方向被写体側から見たときに、筐体２Ａの背面２ｂ（図６参照）が対向する。側壁部１Ｃには、凹部１Ａに撮像ユニット２を配設してこの撮像ユニット２を正面から見たときに、筐体２Ａの左側面２ｃが対向する。上壁部１Ｄには、凹部１Ａに撮像ユニット２を配設してこの撮像ユニット２を正面から見たときに、筐体２Ａの上面２ｄが対向する。
【００６３】
背壁部１Ｂと側壁部１Ｃと上壁部１Ｄとは一体に形成される。凹部１Ａはその背壁部１Ｂと側壁部１Ｃと上壁部１Ｄとによってその輪郭形状が規定される。この凹部１Ａは筐体２Ａが配設されたときに、その筐体２Ａの下面２ｅが位置する下方（Ｙ方向）と、筐体２Ａの右側面２ｆが位置する右側方（Ｘ方向）と、筐体２Ａの正面２ａが位置する前方（Ｚ方向）との三方向に向かって開放されている。
【００６４】
その背壁部１Ｂと側壁部１Ｃと上壁部１Ｄとの適宜箇所にはカメラボディ１、撮像ユニット２を電気的に操作する操作部が設けられている。この実施例１では、例えば、その上壁部１Ｄに、図１〜図４に示すように、操作部としてのレリーズボタン５ｙ、ダイヤル５ｚが設けられている。
【００６５】
背壁部１Ｂには、図５、図７〜図１１に示すように、背面壁としての板金部材４が設けられている。この板金部材４には、撮像ユニット２をカメラボディ１にセットした時に、その背面２ｂが対面する。この板金部材４は背壁部１Ｂを補強する役割を果たす。その板金部材４は、筐体２Ａの背面形状に対応する概略長方形状の輪郭を呈している。この板金部材４は、例えば、プレスにより成形される。この板金部材４は、図８、図９に示すように、上辺部４ａ、下辺部４ｂ、左辺部４ｃ、右辺部４ｄを有する。その上辺部４ａと下辺部４ｂとは互いに平行にかつ左右方向に長く延びている。その左辺部４ｃと右辺部４ｄとは互いに平行にかつ上下方向に長く延びている。
【００６６】
その上辺部４ａの上縁壁４ａ´と下辺部４ｂの下縁壁４ｂ´とは、撮像ユニット２を左右方向に案内する縁壁としての役割を果たす。その板金部材４には、上辺部４ａと下辺部４ｂとのそれぞれに左右方向に間隔を開けてネジ穴４ｅが適宜形成されている。この板金部材４は、図３〜図５、図７に示すように、ネジ４ｆにより背壁部１Ｂに固定される。
【００６７】
上壁部１Ｄには、板金部材５が図５に示すようにネジ５ｆにより固定されている。この板金部材５は、筐体２Ａの凹部１Ａへのセット（装着）時にその筐体２Ａの上面２ｄに対面する。板金部材５は、上壁部１Ｄが上側に位置するようにして側壁部１Ｃを側方から直視したとき前方に向かって背壁部１Ｂから起立しているように見える。
【００６８】
上壁部１Ｄの前面５ａには、図１、図３に示すように、照明手段としてのストロボ発光部５ｂがその右方に配設されている。なお、ここでは、ストロボ発光部５ｂは上壁部１Ｄに設けることにして説明したが、このストロボ発光部５ｂは側壁部１Ｃに設けても良い。ストロボ発光部５ｂを上壁部１Ｄに設けることにより、撮像ユニット２のレンズ系の光軸Ｏよりも上側から被写体を照明でき、被写体の照明を適切に行うことができる。
【００６９】
側壁部１Ｃには、板金部材６が図３、図５に示すようにネジ６ｆにより固定されている。この板金部材６は、筐体２Ａの凹部１Ａへのセット時にその筐体２Ａの左側面２ｃに対面し、筐体２Ａが凹部１Ａに装着されるとその左側面２ｃに当接される。この板金部材６は、背壁部１Ｂが下側に位置しかつ上壁部１Ｄが右側に位置ししかも前方が上側となるようにして、この板金部材６を直視したときに上方に向かって起立されているように見える。
【００７０】
カメラボディ１は、図１、図３〜図５、図７に示すように、その側壁部１Ｃに連接するグリップ部１ｃを有する。このグリップ部１ｃは、背面側から正面側に向かう方向を前方と定義して前方、すなわち、光学系の光軸方向の被写体に向かう向きに膨出する膨出部（グリップ凸部）１ｃ´と、膨出部１ｃ´と凹部１Ａとの間に存在する指掛け凹処（グリップ凹部）１ｃ´´とからなっている。その指掛け凹処１ｃ´´は膨出部１ｃ´に隣接し、その指掛け凹処１ｃ´´には、グリップ部１ｃを右手で握持したとき、中指から小指までを当てることが可能である。
【００７１】
グリップ部１ｃの内部には収納室が形成されている。この収納室には、電池、撮像装置に要求される各種の電装部品が内蔵されている。すなわち、この収納室には、電池、操作部の操作により撮像ユニット２を制御するのに用いる回路、撮像ユニット２により撮像された画像を処理する処理回路、撮像ユニット２により撮像されかつ処理回路により処理された画像を記録保存する記録媒体、電源回路、ストロボ制御回路、これらを構成する回路部品を搭載する回路基板等が収納される。
【００７２】
その背壁部１Ｂの背面には、図２に示すように、撮像ユニット２により撮像された画像データに基づき画像を表示する表示部としての表示面１ｂが設けられている。表示面１ｂには記録媒体に記録された画像が再生表示される。この背壁部１Ｂの大きさは表示面１ｂの大きさによって概略規定されるが、その表示面１ｂは背壁部１Ｂに設けても設けなくとも良い。
【００７３】
この実施例１では、表示面としての液晶ディスプレイが背壁部１Ｂに設けられている。更に、背壁部１Ｂの液晶ディスプレイが配置されていない側に板金部材４が設けられている。このような配置にすることにより、板金部材４の大きさをより大きくすることができる。これによって、係合溝同士の上下方向の間隔、又は、挿入溝同士の上下方向の間隔をより広くすることができ、ガタツキの防止効果が向上する。
【００７４】
撮像ユニット２には、図４、図６に示すように、板金部材６に対面する左側面２ｃに上下方向に延びるユニット側コネクタ部１１（以下、単にコネクタ部１１という）としての差し込みプラグが設けられている。このコネクタ部１１は電気回路が配線されたコネクタ基板５０（プラグ基盤セット）（図２２、２３参照）に固定されている。このプラグ基盤セットは撮像ユニットの内部にフローティング構造で配置される。コネクタ部１１は左側面２ｃから外方に向かって突出している。
【００７５】
このフローティング構造は、カメラボディ１に撮像ユニットを装着してコネクタ部１１と後述するコネクタ部１２との電気的接合を図る際に、コネクタ部１１とコネクタ部１２との取り付け誤差を吸収緩和して、そのコネクタ部１１とコネクタ部１２とを嵌合させる際に加わる応力を緩和する機能を果たす。
【００７６】
カメラボディ１には、図３、図５に示すようにその板金部材６に隣接して上下方向に延びるボディ側コネクタ部１２（以下、単にコネクタ部１２という）が設けられている。このコネクタ部１２は、電気回路が配線されたコネクタ基板５１（プラグ基盤セット）（図１９、２３参照）に固定されている。コネクタ部１１、１２には、例えば、市販のベイコネクタが用いられる。この両コネクタ部１１、１２およびその周辺の構成については後に詳細に説明する。
【００７７】
そのコネクタ部１２は、背壁部１Ｂが下側に位置しかつ上壁部１Ｄが右側に位置ししかも前方が上側に位置するようにして板金部材６を正視したときに背壁部１Ｂから立ち上がって見える側壁部１Ｃの立ち上がり基部に不用意に触られないようにして配置されている（図１９、２１等参照）。
【００７８】
そのコネクタ部１２は凹部１Ａに向かって露呈されている。このコネクタ部１２は、撮像ユニット２をカメラボディ１に装着セットする際の撮像ユニット２の右から左に向かう方向への移動に伴ってコネクタ部１１に嵌合されて、カメラボディ１と撮像ユニット２とが電気的に接続される。なお、そのカメラボディ１への撮像ユニット２のセットの詳細については後述する。
【００７９】
その背壁部１Ｂには、図７に示すように、左右方向に長く延びる一対の挿入溝１３ａ、１３ｂが形成されている。この一対の挿入溝１３ａ、１３ｂは上下方向に互いに間隔を開けて設けられている。一対の挿入溝１３ａ、１３ｂは上縁壁４ａ´、下縁壁４ｂ´に沿って配置される。挿入溝１３ａ、１３ｂは撮像ユニット２のコネクタ部１１に対するカメラボディ１のコネクタ部１２の位置関係を規制しつつこの撮像ユニット２を左右方向に案内するガイド溝としての役割を果たす。なお、その上縁壁４ａ´、下縁壁４ｂ´は、撮像ユニット２の背面に形成された摺接リブ（後述する）が摺接される摺接部としての役割を果たす。
【００８０】
板金部材４の上辺部４ａと下辺部４ｂとには、図８、図９に示すように、右辺部４ｄに近い側に係合板部８ａ、８ｂが形成されている。係合板部８ａは上縁壁４ａ´から上方向に向かって突出している。係合板部８ｂは下縁壁４ｂ´から下方に向かって突出している。この一対の係合板部８ａ、８ｂは上下方向に間隔を開けて配置されている。この係合板部８ａ、８ｂは撮像ユニット２の背面に形成された係合爪（後述する）と係合して、前後方向のガタツキを防止する機能を果たす。
【００８１】
その係合板部８ａ、８ｂは、右辺部４ｄに近い側に傾斜壁８ｃを有し、左辺部４ｃに近い側にストッパ壁８ｄを有する。この傾斜壁８ｃとストッパ壁８ｄとの間が係合壁８ｅとなっている。係合壁８ｅには図１０、図１１に示すように突起８ｆが半抜き手段により形成されている。この突起８ｆは係合板部８ａ、８ｂの前側に設けられ、挿入溝１３ａ、１３ｂに向かって突出している。この突起８ｆに隣接して係合付勢部材としての付勢板バネ８ｇが図９、図１２に示すように設けられている。この付勢板バネ８ｇは係合板部８ａ、８ｂの前側に設けられ、上側凹溝としての挿入溝１３ａ、下側凹溝としての挿入溝１３ｂに臨んでいる。挿入溝１３ａ、１３ｂの右方は外部に向かって開放されている。付勢板バネ８ｇの配設位置は突起８ｆの配設位置よりも右辺部４ｄに近い。付勢板バネ８ｇは、後述するように、カメラボディ１に装着された撮像ユニット２を背壁部１Ｂに向けて付勢する役割を果たす。突起８ｆはカメラボディ１に対する撮像ユニット２の着脱作業の際、撮像ユニット２の前後方向のガタツキを低減する役割を果たす。挿入溝１３ａ、１３ｂは一対の係合爪（後述する）が係合する係合溝としての役割も果たす。
【００８２】
係合板部８ａ、８ｂは、カメラボディ１に撮像ユニット２を装着してこの撮像ユニット２がカメラボディ１にロックされている状態で、この撮像ユニット２に前方に向かう方向（図１２において矢印Ｆ１方向）の力を加えたときに、この力による引抜きを防止する機能を、撮像ユニット２に設けられた係合固定部材としての一対の係合爪（後述する）と協働して果たす。
【００８３】
すなわち、係合付勢部材は係合固定部材が係合溝に挿入された状態で側壁部１Ｃに向かって撮像ユニット２を接近させた場合に、係合固定部材を光学系の光軸方向へ付勢する役割を果たす。係合固定部材は、上記の説明では、一対のもの、すなわち２個として説明しているが、１個でも３個以上でも良く、２個以上の場合には、係合固定部材は側壁部１Ｃに撮像ユニットを接近させる方向に対して垂直な方向（上下方向（矢印Ｙ参照））に間隔を開けて構成するのが望ましい。係合溝はこの係合部材に対応する位置関係とされる。また、ここでは、係合付勢部材及び係合溝をカメラボディ１に設け、係合固定部材を撮像ユニット２に設ける構成として説明したが、逆の構成でも良い。ガイド部材とガイド溝との構成についても同様である。
【００８４】
側壁部１Ｃには、図３、図５、図７に示すように、一対の補助嵌合突起（嵌合凸部）１４、１４が上下方向に間隔を開けて形成されている。この補助嵌合突起１４は背壁部１Ｂが下側に位置しかつ上壁部１Ｄが右側に位置ししかも前方が上側となるようにして側壁部１Ｃを直視したときにコネクタ部１２よりも上側に位置している（図２０等参照）。この一対の補助嵌合突起１４、１４は、不用意な捩れ力が撮像ユニット２に加わった際一対の補助嵌合穴と協働して、カメラボディ１のコネクタ部１２のコネクタ端子、撮像ユニット２のコネクタ部１１のコネクタ端子が破壊されるのを防止する機能を有する。
【００８５】
コネクタ部１２は、上下方向に長く延びる縦長のグリップ部が形成されている側壁部１Ｃの側面に設けられている。このように配置することにより、より大きなコネクタを配置することができる。よって、撮像ユニットとカメラボディとの間のデータ転送速度を速めることができる。
（撮像ユニット２の外観形状の説明）
撮像ユニット２には、板金部材６に対面され、筐体２Ａが凹部１Ａに装着されるとその板金部材６に当接される左側面２ｃに、図４、図６に示すように、一対の補助嵌合穴（嵌合凹部）２２が形成されている。この一対の補助嵌合穴２２には、カメラボディ１への撮像ユニット２の装着セット時に一対の補助嵌合突起１４、１４が嵌合される。その一対の補助嵌合穴２２の底部には、スポンジ、ゴム等の衝撃吸収部材２２ａが配設されている。なお、一対の補助嵌合穴２２を側壁部１Ｃに形成し、一対の補助嵌合突起１４、１４を筐体２Ａの左側面２ｃに形成する構成を採用しても良い。また、ここでは、嵌合凸部と嵌合凹部とを一対、すなわち、２個として説明しているが、嵌合凸部と嵌合凹部とは各１個でも、３個以上でも良く、複数設ける場合には、撮像ユニット２を側壁部１Ｃに向かって接近させる方向に対して垂直な方向に間隔を開けて配置する構成とするのが望ましい。
【００８６】
その筐体２Ａの背面２ｂには、図６に示すように、矩形状の板金部材２Ｂが設けられている。この板金部材２Ｂは適宜箇所にネジ穴２ｈ´を有し、止めネジ穴２ｈにより筐体２Ａの背面２ｂに固定されている。板金部材２Ｂには、ガイド部材としての一対の摺接リブ２３ａ、２３ｂと係合固定部材としての一対の係合爪２３ｃ、２３ｄとが形成されている。一対の摺接リブ２３ａ、２３ｂは互いに上下方向に間隔を開けて対向しかつ左右方向に延びている。
【００８７】
一対の係合爪２３ｃ、２３ｄは切り起しにより形成される。この一対の係合爪２３ｃ、２３ｄは切り起し部２３ｅと屈曲部２３ｆとを有する。その一対の係合爪２３ｃ、２３ｄも同様に上下方向に間隔を開けてかつ対向して配置されている。その板金部材２Ｂは、一対の摺接リブ２３ａ、２３ｂを形成した箇所と一対の係合爪２３ｃ、２３ｄを形成した箇所とがそれぞれ矩形状の長穴２３ｇ、２３ｈとなっている。一対の摺接リブ２３ａ、２３ｂは挿入溝１３ａ、１３ｂに挿入されて上縁壁４ａ´と下縁壁４ｂ´とにそれぞれ摺接可能とされている。一対の係合爪２３ｃ、２３ｄは付勢板バネ８ｇに係合可能とされている。
【００８８】
筐体２Ａの上面２ｄには、図６に示すように、板金部材２Ｃが止めネジ２ｊにより固定されている。この板金部材２Ｃは、筐体２Ａの左側面２ｃよりも外方に向かって延長された延長板部（延伸部）２ｍを有する。この延長板部２ｍはコネクタ部１１（後述するコネクタカバー部分５９）の上面に沿って延在されている。この延長板部２ｍには、切り欠き部２ｎと被ロック爪２ｐとが形成されている。その切り欠き部２ｎには後述するロック部材としてのロック爪が進入する。その被ロック爪２ｐは後述するロック部材の切り欠き部に進入される。その被ロック爪２ｐは傾斜壁２ｐ´を有する。撮像ユニット２はこのロック部材と被ロック部材との係合によりカメラボディ１に固定される。
（ロック機構２４、ロック解除機構２４´の説明）
カメラボディ１には、図１３、図１４に示すロック機構２４が設けられている。このロック機構２４は、側壁部１Ｃと上壁部１Ｄとの交差部分に位置している。このロック機構２４は、撮像ユニット２をロックする機能を有する。このロック機構２４は、図５に示すように、凹部１Ａに筐体２Ａを配設した状態で筐体２Ａを正面から見たときにこの筐体２Ａに対して左上隅近傍に位置されている。
【００８９】
そのロック機構２４は、ロック部材（ロック板）２５（図１５、図１６参照）と、支軸２７と、ストッパ２７ａとから概略構成されている。ストッパ２７ａはカメラボディ１に固定されている。そのロック部材２５は被ロック部材としての被ロック爪２ｐと協働して撮像ユニット２をロックする役割を果たす。ロック解除機構２４´は、ロック解除操作部材（ロック解除板）２６（図１７、図１８参照）と、支軸２７と、ストッパ２７ｂとから概略構成されている。そのストッパ２７ｂはカメラボディ１に固定されている。ロック解除操作部材２６はロック部材２５による撮像ユニット２のカメラボディ１に対するロックを解除する役割を果たす。
【００９０】
カメラボディ１を正面から見たとき、従来の一眼レフレックスカメラの交換鏡胴ユニットの取り外しボタンの位置と比較して同じような位置にロック解除操作部材が設けられているので、従来の交換レンズ鏡胴式の一眼レフレックスカメラに慣れている人が使用した場合でも、撮像ユニット２の取り外し操作を行い易く、誤操作が起きにくい。よって、誤操作によるリスクの軽減を図りつつ撮像ユニットの取り外しの容易なカメラボディ１を提供できる。
【００９１】
ロック部材２５は、図１５、図１６に示すように、軸穴２５ａと、切り欠き部２５ｂと、ロック爪２５ｃとを有する。軸穴２５ａには支軸２７（図１３、図１４参照）が挿通される。そのロック爪２５ｃの爪先２５ｃ´´は、カメラボディ１の背面側から正面側に向かう方向を前方と定義して、前方に向けられている。なお、被ロック爪２ｐの爪先２ｐ´´は、撮像ユニット２が凹部１Ａに配置された状態で背壁部１Ｂに臨む方向に向いている。すなわち、被ロック爪２ｐの爪先２ｐ´´は、カメラボディ１の正面側から背面側に向かう方向を後方と定義して、後方に向けられている。
【００９２】
ロック部材２５は、図示を略す付勢手段により、支軸２７を中心にして前方（図１４において矢印Ｆ２方向）に向けて回動付勢されている。ストッパ２７ａはその付勢手段によるそのロック部材２５の回動停止位置を規制する役割を果たす。ロック爪２５ｃと被ロック爪２ｐとが係合していない時には、ロック爪２５ｃは付勢手段の回動付勢によって、ストッパに当接した状態で保持される。
【００９３】
ロック解除操作部材２６はストッパ２７ａから離反している。ロック爪２５ｃには傾斜壁２５ｃ´が形成されている。この傾斜壁２５ｃ´は、カメラボディ１に対して撮像ユニット２を右から左へ向けて移動させて撮像ユニット２をカメラボディ１に装着セットする際に、傾斜壁２ｐ´と係合して、ロック部材２５を、支軸２７を支点にして後方に回動させる分力を生じさせる。
【００９４】
ロック解除操作部材２６は、図１７、図１８に示すように、軸穴２６ａと、解除突起２６ｂと、係止突起２６ｃと、ロック解除ボタン２６ｄとを有する。軸穴２６ａには、ロック部材２５を回動可能に支持する支軸２７が挿通される。支軸２７は、軸穴２５ａ及び軸穴２６ａに挿入され、カメラボディ１に固定される。解除突起２６ｂは、ロック部材２５の側面２５ｆに当接してロック部材２５を解除方向（Ｆ２と反対方向）に回動させる役割を果たす。係止突起２６ｃにはロック解除用スプリング２８の一端部２８ａが係止される。ロック解除用スプリング２８の他端部２８ｂは側壁部１Ｃの内部の適宜箇所に設けられた係止突起（図示を略す）に係止される。ロック解除用スプリング２８は、ロック解除操作部材２６を、支軸２７を中心にして前方に向けて回動付勢する役割を果たす。
【００９５】
ストッパ２７ｂは、そのロック解除用スプリング２８の回動付勢力によるロック解除操作部材２６の回動停止位置を規制する役割を果たす。このロック解除操作部材２６は、非操作時には、ストッパ２７ｂに当接されている。このロック解除操作部材２６の操作時にはロック解除操作部材２６は、ストッパ２７ｂから離間し、ストッパ２７ａに接近する方向に回動される。このロック解除操作部材２６の操作方向への回動量はストッパ２７ａによって規制される。
【００９６】
ロック解除ボタン２６ｄは、上壁部１Ｄが存在する側を上にしたとき、指掛け凹処１ｃ´´よりも上側に位置している。すなわち、指掛け凹処１ｃ´´はロック解除操作部材２６の下側に位置している。そのロック解除ボタン２６ｄは、グリップ部１ｃから外方に向かって突出する指当て部２６ｅを有する。
【００９７】
グリップ凸部の上方は、通常、撮影の際にグリップ部を把持するための邪魔にならない位置であり、不用意に操作し難い位置であるので、より一層誤操作のリスクを回避しつつ撮像ユニットの取り外しの容易なカメラボディを提供できる。
【００９８】
更に、グリップ凹部よりも上方の位置でかつグリップ凸部を握持する際に指が当たりにくい位置に、ロック解除操作部材を設けたので、誤操作の懸念を更に低減できる。
【００９９】
この実施例１では、そのロック解除ボタン２６ｄは、グリップ部１ｃの外観形状に倣うようにして回動される。ロック部材２５とロック解除操作部材２６とは、互いに重なり合わされて、支軸２７を支点にして回動され、ロック部材２５はロック解除ボタン２６との回動平面と略同一平面内で回動される。
（コネクタ部の防塵・防水構造の説明）
次に、コネクタ部１１、１２間の防塵・防水（防滴）構造について説明する。
【０１００】
上述したように、カメラボディ１には、図５、１９〜２１に示すように、コネクタ部１２が設けられている。コネクタ部１２は、カメラボディ１の側壁部１Ｃに設けられた嵌合溝部５２にコネクタ本体５３が配置されて構成されている。このため、嵌合溝部５２が、コネクタ部１２の本体設置個所となる。
【０１０１】
嵌合溝部５２は、背壁部１Ｂが下側に位置しかつ上壁部１Ｄが右側に位置ししかも前方が上側に位置するようにしてカメラボディ１の板金部材６を正視したときに、背壁部１Ｂから立ち上がって見える側壁部１Ｃの立ち上がり基部となる下方（背壁部１Ｂ側）に位置し、板金部材６すなわち側壁部１Ｃから奥へと凹むように（凹部１Ａから左側に奥まって）設けられた凹所である。この嵌合溝部５２は、側壁部１Ｃに設けられたコネクタカバー部材５４と側壁部１Ｃおよび背壁部１Ｂとの協働により輪郭形状が規定され、凹部１Ａ側すなわち右側方（Ｘ方向）が開放されている。嵌合溝部５２は、コネクタ本体５３が内方に配設された状態において、そのコネクタ本体５３の周囲に間隔（隙間）を形成できる大きさ寸法とされている。このため、コネクタ部１２、特にコネクタ本体５３は、左右方向への撮像ユニット２の相対的な移動による後述するコネクタ部１１のコネクタ本体６０との連結（電気的な接続）を可能としつつ、不用意に触られることが防止されている。
【０１０２】
この嵌合溝部５２に配置されたコネクタ本体５３は、上述したように、カメラボディ１と撮像ユニット２との間でのデータ転送を可能とするために、撮像ユニット２の後述するコネクタ部１１のコネクタ本体６０と電気的に接続されるものである。このコネクタ本体５３は、コネクタ端子５５が被覆部材５６に覆われて構成されている。
【０１０３】
コネクタ端子５５は、後述するコネクタ部１１のコネクタ本体６０のコネクタ端子６１との相対的な右左方向（Ｘ方向）への移動により当該コネクタ端子６１との電気的な接続が可能とされたコネクタ端子であり、実施例１ではメス型のコネクタ端子が用いられている。コネクタ端子５５は、カメラボディ１に固定されたコネクタ基板５１に電気的に接続されている。このコネクタ基板５１には、操作部の操作により撮像ユニット２を制御するのに用いる回路、撮像ユニット２により撮像された画像を処理する処理回路等の電気回路が配線されている。
【０１０４】
被覆部材５６は、コネクタ端子５５を被覆可能な長尺形状を呈し、上下方向両端部（Ｙ方向で見た両端位置）に一対の位置決め突起５６ａが設けられている。この被覆部材５６は、カメラボディ１に撮像ユニット２を装着するとき、人の手が触れて、人体にたまっている静電気の放電により、電気回路、電気素子等が静電破壊されるのを防止する役割を有する。
【０１０５】
コネクタ部１２では、嵌合溝部５２内において、嵌合溝部５２とコネクタ本体５３との大きさ寸法の差異によりコネクタ本体５３を取り囲む嵌合溝５７が形成されている。嵌合溝５７は、後述する撮像ユニット２のコネクタ部１１のコネクタカバー部分５９が、互いに接続されたコネクタ本体５３と後述するコネクタ部１１のコネクタ本体６０とを取り囲みつつ内方に入り込むことのできる大きさ寸法とされている。この嵌合溝５７の底壁面（凹部１Ａから見て奥側に位置する壁面）に、封止部材５８が設けられている。
【０１０６】
封止部材５８は、後述するように、互いに連結（電気的な接続）状態にあるコネクタ部１２のコネクタ本体５３（コネクタ端子５５）とコネクタ部１１のコネクタ本体６０（コネクタ端子６１）とに、塵埃や液体等が付着することを防止する防塵機能や防水（防滴）機能を有する（防水部材として機能する）。この封止部材５８は、実施例１では、ゴム（樹脂材料）やスポンジ（海綿状の樹脂材料）のように弾性を有する材料で形成されたシート状とされ、嵌合溝５７の底壁面においてコネクタ本体５３を取り囲む環状を呈している（図２０、図２１等参照）。封止部材５８の厚さ寸法については後述する。この封止部材５８は、接着剤等により嵌合溝５７の底壁面に固着されている。上述したように、このコネクタ部１２に撮像ユニット２のコネクタ部１１が接合される。
【０１０７】
コネクタ部１１は、図４、６、２２に示すように、撮像ユニット２の左側面２ｃから外方に向かって突出されつつ上下方向に延在されたコネクタカバー部分５９にコネクタ本体６０が配置されて構成されている。
【０１０８】
コネクタカバー部分５９は、左側面２ｃから撮像ユニット２を側壁部１Ｃに向かって接近させる方向へと突出されて上下方向に延在する一対の上下延在壁と、それらの上端および下端を架け渡すように左側面２ｃから撮像ユニット２を側壁部１Ｃに向かって接近させる方向へと突出されて前後方向（カメラボディ１に装着された状態）に延在する一対の前後延在壁とにより形成され、撮像ユニット２の左側面２ｃを正視したときに、上下方向に長尺で矩形の環状を呈する。このコネクタカバー部分５９は、実施例１では、一対の上下延在壁のうちの背面２ｂ側に位置する上下延在壁が、カメラボディ１の凹部１Ａ内でのコネクタ部１２の位置関係に対応すべく、背面２ｂと略面一となる（略同一の平面を形成する）位置関係とされている。コネクタカバー部分５９は、外周面がコネクタ部１２の嵌合溝５７の内方に位置するように、すなわちコネクタ部１２の嵌合溝５７の内方に遊嵌する大きさ寸法とされている。このコネクタカバー部分５９の内方で間隔を置いてコネクタ本体６０が配置されている。
【０１０９】
コネクタ本体６０は、上述したように、カメラボディ１のコネクタ部１２のコネクタ本体５３と電気的に接続されるものである。このコネクタ本体６０は、コネクタ端子６１が包囲部材６２に覆われて構成されている。
【０１１０】
コネクタ端子６１は、コネクタ部１２のコネクタ本体５３のコネクタ端子５５との相対的な右左方向（Ｘ方向）への移動により当該コネクタ端子５５との電気的な接続が可能とされたコネクタ端子であり、実施例１では左方向（矢印Ｘとは逆方向）へ突出されたオス型のコネクタ端子が用いられている。コネクタ端子６１は、撮像ユニット２に固定されたコネクタ基板５０に電気的に接続されている。このコネクタ基板５０には、カメラボディ１からの制御指令に応じた駆動のための回路、撮像した画像のデータをカメラボディ１へと送信する回路等の電気回路が配線されている。
【０１１１】
包囲部材６２は、カメラボディ１に撮像ユニット２を装着するとき、人の手が触れて、人体にたまっている静電気の放電により、電気回路、電気素子等が静電破壊されるのを防止する役割を有する。この包囲部材６２は、間隔を置きつつコネクタ端子６１を取り囲む環状を呈し、カメラボディ１のコネクタ部１２の被覆部材５６を内方に受入可能とされている。この間隔により、コネクタ部１１では、コネクタ端子６１と包囲部材６２との間に、上下方向両端部（Ｙ方向で見た両端位置）にコネクタ部１２の一対の位置決め突起５６ａに対応する一対の位置決め穴６３が形成されている。このため、コネクタ本体６０は、コネクタ部１１のコネクタ本体５３に対して、一対の位置決め穴６３と一対の位置決め突起５６ａとの案内作用により、適切な状態で、コネクタ端子６１をコネクタ部１２のコネクタ端子５５に挿入して電気的に接続しつつ包囲部材６２の内方に被覆部材５６を嵌合させた連結状態とすることが容易とされている（図２３参照）。
【０１１２】
コネクタ部１１は、上述したように、カメラボディ１に撮像ユニット２が適切に装着されると、カメラボディ１のコネクタ部１２と接合される。ここで、撮像ユニット２は、カメラボディ１の凹部１Ａに適切に装着されると、筐体２Ａの左側面２ｃが側壁部１Ｃすなわち板金部材６に当接され、凹部１Ａ内での左右方向（Ｘ方向）の位置決めが為される。この状態において、コネクタ部１１のコネクタカバー部分５９は、上述したように、間隔を置きつつコネクタ本体６０およびそこに接続されるコネクタ本体５３を環状に取り囲みつつコネクタ部１２の嵌合溝５７に遊嵌する大きさ寸法とされていることから、コネクタ本体６０およびコネクタ本体５３に接触することなく嵌合溝５７内に位置する。このとき、コネクタカバー部分５９は、嵌合溝５７の底壁部に到達することはなく嵌合溝５７に設けられた封止部材５８に圧接する長さ寸法とされている。すなわち、封止部材５８は、撮像ユニット２がカメラボディ１の凹部１Ａに適切に装着された状態において、塵埃や液体等が凹部１Ａからコネクタ部１１のコネクタ本体６０のコネクタカバー部分５９の内方へと侵入してくることを防止できるような押圧力でコネクタカバー部分５９の先端に圧接される厚さ寸法に設定されている。
（カメラボディ１への撮像ユニット２の装着手順）
次に、カメラボディ１（凹部１Ａ）に撮像ユニット２をセットする手順について説明する。
【０１１３】
カメラボディ１の背壁部１Ｂを下側にして水平状態にする。たとえば、カメラボディ１を左手に載せて水平状態とする。カメラボディ１に対して撮像ユニット２を図３に示す矢印Ｆ３方向（上から下の方向）から近づけて、一対の摺接リブ２３ａ、２３ｂを一対の挿入溝１３ａ、１３ｂにそれぞれ挿入する。
【０１１４】
ついで、カメラボディ１に対して撮像ユニット２を図３に示す矢印Ｆ４方向（右から左方向）に移動させる。すなわち、側壁部１Ｃに向かって撮像ユニット２を移動させる。つまり、側壁部１Ｃに対して撮像ユニット２をレンズ系の光軸に対して直交する方向から接近させる。その際、撮像ユニット２は、一対の摺接リブ２３ａ、２３ｂが一対の挿入溝１３ａ、１３ｂにそれぞれ挿入された状態のまま、摺接リブ２３ａ、２３ｂが上縁壁４ａ´、下縁壁４ｂ´に摺接しつつ移動される。その移動中に、一対の係合爪２３ｃ、２３ｄが係合板部８ａ、８ｂに接近する。一対の係合爪２３ｃ、２３ｄは、係合板部８ａ、８ｂに当たると、傾斜壁８ｃに案内されて係合壁８ｅに臨む。
【０１１５】
このカメラボディ１に対する撮像ユニット２の装着中、摺接リブ２３ａ、２３ｂの作用によりカメラボディ１に対する撮像ユニット２の上下方向のガタツキが低減される。カメラボディ１に対して撮像ユニット２を右から左方向に移動させると、付勢板バネ８ｇに係合爪２３ｃ、２３ｄが当接される。撮像ユニット２はこの付勢板バネ８ｇの作用により背壁部１Ｂに引き付けられる。これにより、撮像ユニット２の前後方向のガタツキが緩和される。また、その移動作業中、係合爪２３ｃ、２３ｄは図１２に示す突起８ｆにより前後方向（図１２に示す矢印Ｆ１方向及びその反対方向）の移動量の制約を受けるので、カメラボディ１に対する撮像ユニット２の前後方向のガタツキが更に緩和される。
【０１１６】
一対の付勢板バネ８ｇと一対の係合爪２３ｃ、２３ｄとの当接とほぼ同時に、補助嵌合突起１４が補助嵌合穴２２に嵌合される。摺接リブ２３ａ、２３ｂが上縁壁４ａ´、下縁壁４ｂ´に摺接しつつ移動することで、補助嵌合突起１４が補助嵌合穴２２に係合可能な位置を保ったまま、筐体２Ａの左側面２ｃが側壁部１Ｃに対して接近・離脱可能となっている。撮像ユニット２は、筐体２Ａの左側面２ｃが側壁部１Ｃすなわち板金部材６に当接されることにより、凹部１Ａ内での左右方向（Ｘ方向）の位置決めが為される。また、摺接リブ２３ａ、２３ｂが上縁壁４ａ´、下縁壁４ｂ´に摺接しつつ移動することで、コネクタ部１１とコネクタ部１２とが嵌合（接合）可能な位置を保ったまま、筐体２Ａの左側面２ｃが側壁部１Ｃに対して接近離脱可能となっている。摺接リブ２３ａ、２３ｂは、カメラボディ１と撮像ユニット２との装着時にガイド手段として機能する。
【０１１７】
この補助嵌合突起１４と補助嵌合穴２２とによって、コネクタ部１２に対するコネクタ部１１の位置規制が概略なされ、コネクタ部１１のコネクタカバー部分５９がコネクタ部１２の嵌合溝５７に遊嵌し、一対の位置決め穴６３と一対の位置決め突起５６ａとの案内作用によりコネクタ部１１のコネクタ本体６０がコネクタ部１２のコネクタ本体５３に対して適切な位置で対向する。ついで、撮像ユニット２が凹部１Ａ内で左右方向に位置決めされると、コネクタ部１１のコネクタ本体６０がコネクタ部１２のコネクタ本体５３に適切に連結されて、カメラボディ１と撮像ユニット２とが電気的に通信可能に接続される。このとき、コネクタ部１１のコネクタカバー部分５９の先端は、コネクタ部１２の嵌合溝５７に設けられた封止部材５８に圧接する。これにより、封止部材５８は、コネクタカバー部分５９の先端と嵌合溝５７との間で圧縮される。なお、その補助嵌合突起１４と補助嵌合穴２２との嵌合の際に、補助嵌合穴２２の底部に衝撃吸収部材２２ａが設けられているので、カメラボディ１と撮像ユニット２との衝突による衝撃が緩和される。また、その補助嵌合突起１４と補助嵌合穴２２とによってカメラボディ１に対する撮像ユニット２の前後方向のガタツキが更に緩和される。
【０１１８】
その一方、被ロック爪２ｐの傾斜壁２ｐ´がロック爪２５ｃの傾斜壁２５ｃ´に当接して傾斜壁２５ｃ´に生じる分力が、図示を略す付勢部材によるロック部材２５の回動付勢力よりも大きくなると、ロック部材２５は支軸２７を支点にしてその回動付勢力の作用する方向（図１４において矢印Ｆ２方向）とは反対方向に回動される。
【０１１９】
ついで、被ロック爪２ｐがロック爪２５ｃを乗り越えると、ロック部材２５はその回動付勢力により元の位置に復帰する。その結果、ロック爪２５ｃが切り欠き部２ｎに進入し、被ロック爪２ｐが切り欠き部２５ｂに進入する。これにより、ロック爪２５ｃと被ロック爪２ｐとが噛み合い、撮像ユニット２はカメラボディ１に対して左右方向にロックされる。このロック部材としてのロック爪２５ｃと被ロック部材としての被ロック爪２ｐとによって、カメラボディ１と撮像ユニットとの左右方向のガタツキが制約される。
【０１２０】
このように、撮像ユニット２をカメラボディ１（その凹部１Ａ）に適切に装着することができる。
【０１２１】
この実施例１では、撮像ユニット２がカメラボディ１の凹部１Ａに適切に装着されると、互いに接続されたコネクタ部１１、１２において、コネクタ部１１のコネクタカバー部分５９の先端がコネクタ部１２の嵌合溝５７に設けられた封止部材５８を圧接している（封止部材５８が圧縮される）ことから、塵埃や液体等が凹部１Ａからコネクタ部１２のコネクタ本体６０のコネクタカバー部分５９の内方へと侵入してくることを防止することができる。これにより、両コネクタ部１１、１２の間を、防塵および防水（防滴）することができる。
【０１２２】
また、実施例１のコネクタ部の防塵・防水（防滴）構造は、互いに接続されたコネクタ部１１、１２間の防塵および防水（防滴）であることから、極めて狭い領域を対象とするものであるので、簡易でかつコンパクトな構成とすることができる。すなわち、カメラボディ１の側壁部１Ｃに嵌合溝部５２を設けてコネクタ部１２に嵌合溝５７を設けるとともに、コネクタ部１１のコネクタカバー部分５９により圧接されるように、そのコネクタ部１２の嵌合溝５７に封止部材５８を設ける簡易な構成とすることができる。
【０１２３】
さらに、このコネクタ部の防塵・防水（防滴）構造では、撮像ユニット２をカメラボディ１の凹部１Ａに装着すべく相対的に移動（スライド移動）させる摺動面に当該構造に係る部品が設けられてはいないことから、撮像ユニット２をカメラボディ１の凹部１Ａに装着する際の相対的な移動（スライド移動）を阻害することを防止することができる。
【０１２４】
ついで、このコネクタ部の防塵・防水（防滴）構造では、筐体２Ａの左側面２ｃが側壁部１Ｃすなわち板金部材６に当接されることにより、凹部１Ａ内での撮像ユニット２の左右方向（Ｘ方向）の位置決めが為され、コネクタ部１１のコネクタカバー部分５９の先端が、コネクタ部１２の嵌合溝５７に到達しない（封止部材５８がないものとすると互いに当接することはない）構成とされていることから、例えば、撮像ユニット２をカメラボディ１の凹部１Ａに装着する際に装着方向に余分な力が付与されたとしても、当該力は筐体２Ａの左側面２ｃが側壁部１Ｃすなわち板金部材６を押圧するように作用するので、コネクタ部１１、１２に、その装着に伴う無理な力が加わるのを防止することができる。
【０１２５】
このコネクタ部の防塵・防水（防滴）構造では、封止部材５８がカメラボディ１に設けられていることから、交換される撮像ユニット２毎に封止部材５８を設ける必要がないので、撮像ユニット２をより簡易な構成とすることができ、コストを低減することができる。
【０１２６】
このコネクタ部の防塵・防水（防滴）構造では、封止部材５８がカメラボディ１において、凹部１Ａから奥まった（凹んだ）構成とされた嵌合溝部５２（嵌合溝５７の底壁面）に設けられていることから、不用意に触られることが防止されており、長い期間に渡って適切な防塵・防水（防滴）効果を得ることができる。
【０１２７】
これらのことから、このコネクタ部の防塵・防水（防滴）構造を採用することにより、別途大掛かりな構造を採用する必要がないので撮像ユニット２およびカメラボディ１の大型化を招くことなく、撮像ユニット２をカメラボディ１へと装着するだけで確実に防塵および防水（防滴）効果を得ることができる。このため、撮像ユニット２およびカメラボディ１、特に、コネクタ部１１およびコネクタ部１２とそれらに通じる電気的な構成個所の耐久性を向上させることができる。
【０１２８】
加えて、実施例１では、撮像ユニット２のカメラボディ１へのロック状態では、一対の係合爪２３ｃ、２３ｄが係合板部８ａ、８ｂに確実に係合している。一対の係合板部８ａ、８ｂは、側壁部１Ｃに形成された一対の補助嵌合突起１４、１４に対して左右方向に大きく離れた位置に形成されているので、撮像ユニット２をカメラボディ１に対して前方側に引き抜こうとしても、その引き抜きに伴う力が分散され、その引き抜きが確実に阻止される。また、そのコネクタ部１１、１２に、その引き抜きに伴う無理な力が加わるのを阻止できる。
【０１２９】
実施例１では、撮像ユニット２の右側の下辺部を手で持って、右下に向けて無理矢理に引き抜こうとしても、一対の補助嵌合突起１４、１４と一対の係合爪２３ｃ、２３ｄと、ロック機構２４とによってその引き抜きが阻止され、コネクタ部１１、１２にその引き抜きに伴う無理矢理な力が加わるのが阻止される。
【０１３０】
実施例１では、側壁部１Ｃに向かって撮像ユニットを移動させるという１つの動作によって、ロック機構２４によるカメラボディ１と撮像ユニット２の機械的な固定と、コネクタ部１１、１２による電気的な接続とがほぼ同時に完了するので、撮像ユニット２のカメラボディ１への装着操作を短時間で容易に行うことができる。
（カメラボディ１からの撮像ユニット２の取り外し手順）
次に、カメラボディ１（その凹部１Ａ）から撮像ユニット２を取り外す手順について説明する。
【０１３１】
撮像ユニット２が凹部１Ａに配置された状態で撮像ユニット２を正面から見て、ロック解除ボタン２６ｄを右方向（図１においてＦ５方向）に操作する。これにより、ロック解除操作部材２６は支軸２７を支点にしてロック解除用スプリング２８の回動付勢力に対して反対方向（図１４においてＦ２と反対方向）に回動される。すると、解除突起２６ｂがロック部材２５の側面２５ｆに当接する。この解除突起２６ｂのロック解除用スプリング２８の回動付勢力に対して反対方向（図１４においてＦ２と反対方向）への回動により、ロック部材２５は、支軸２７を支点にして切り欠き部２ｎから退避する方向（後方）に回動される。これにより、ロック爪２５ｃと被ロック爪２ｐとの噛み合いが解除される。すなわち、カメラボディ１に対する撮像ユニット２のロックが解除される。この状態で、カメラボディ１に対して撮像ユニット２を左から右方向（図１、図３において、矢印Ｆ４´方向）に移動させる。すると、コネクタ部１１、１２同士の嵌合が解除されると共に、補助嵌合突起１４と補助嵌合穴２２との嵌合も解除される。
【０１３２】
摺接リブ２３ａ、２３ｂがストッパ壁８ｄに当接するまで撮像ユニット２を左から右方向（図１、図３において、矢印Ｆ４´方向）移動させる。その後、撮像ユニット２を背壁部１Ｂから離れる方向（図３においてＦ３と逆の方向）に移動させる。これにより、カメラボディ１に対する撮像ユニット２の取り外しが完了する。なお、ロック解除操作部材２６はロック解除ボタン２６ｄから指を離すと、ロック解除用スプリング２８の付勢力により元の位置に復帰する。また、ロック部材２５も図示を略す回動付勢力により元の位置に復帰する。
【０１３３】
このように、この実施例１では、コネクタ部の防塵・防水（防滴）構造がカメラボディ１からの撮像ユニット２を取り外し動作に何らの影響を与えることはない。このため、装着時には、塵埃や液体等が凹部１Ａからコネクタ部１２のコネクタ本体６０のコネクタカバー部分５９の内方への侵入の防止が可能でありながら、カメラボディ１から撮像ユニット２を容易に取り外すことが可能である。
【０１３４】
また、この実施例１では、撮影者が右手でグリップ部１ｃを持って、かつ、上壁部１Ｄが上側に位置し、レンズ系を前方の被写体に向けて使用する状態を通常使用状態と定義して、この通常使用時には、使用者が操作しにくい右方向が解除操作方向となっているので、グリップ部１ｃの通常の握持状態で、使用時の誤操作に起因して撮像ユニット２がカメラボディ１から脱落する懸念を低減できる。
【実施例２】
【０１３５】
次に、実施例２の撮像装置１０Ｈ（カメラボディ１Ｈおよび撮像ユニット２Ｈ）について説明する。実施例２のカメラボディ１Ｈおよび撮像ユニット２Ｈは、コネクタ部の防塵・防水（防滴）構造が実施例１とは異なる例である。このカメラボディ１Ｈおよび撮像ユニット２Ｈは、その基本的な構成は実施例１のカメラボディ１および撮像ユニット２と同様であるので、同一機能部分には実施例１と同一の符号を付し、その詳細な説明は省略する。
【０１３６】
撮像ユニット２Ｈには、図２４および図２５に示すように、コネクタ部１１Ｈのコネクタカバー部分５９Ｈの先端にリブ６４が設けられている。リブ６４は、撮像ユニット２の左側面２ｃを正視すると上下方向に長尺で矩形の環状を呈するコネクタカバー部分５９Ｈ（その先端）において、その先端面５９ａよりも細い幅寸法で当該先端面５９ａの幅方向で見た中間位置に設けられている。このリブ６４は、コネクタカバー部分５９Ｈの先端面５９ａからコネクタカバー部分５９Ｈの延在方向と等しい方向（撮像ユニット２を側壁部１Ｃに向かって接近させる方向）へと突出され、コネクタカバー部分５９Ｈの全周に渡って環状に延在している。
【０１３７】
カメラボディ１Ｈは、実施例１のカメラボディ１と全く同様の構成であるが、封止部材５８Ｈ（図２６参照）の厚さ寸法の設定の際の観点が異なる。これは、撮像ユニット２Ｈのコネクタ部１１Ｈのコネクタカバー部分５９Ｈの先端にリブ６４が設けられていることによる。
【０１３８】
実施例２のカメラボディ１Ｈおよび撮像ユニット２Ｈは、図２６に示すように、実施例１と同様に、撮像ユニット２Ｈをカメラボディ１Ｈへと装着する（から取り外す）ことができる。この撮像ユニット２Ｈがカメラボディ１Ｈの凹部１Ａに装着された状態では、撮像ユニット２Ｈのコネクタ部１１Ｈのコネクタカバー部分５９Ｈが、カメラボディ１Ｈのコネクタ部１２の嵌合溝５７に遊嵌し、一対の位置決め穴６３と一対の位置決め突起５６ａとの案内作用によりコネクタ部１１Ｈのコネクタ本体６０がコネクタ部１２のコネクタ本体５３に適切に連結されて、カメラボディ１Ｈと撮像ユニット２Ｈとが電気的に通信可能に接続される。このとき、コネクタ部１１Ｈのコネクタカバー部分５９Ｈの先端は、コネクタ部１２Ｈの嵌合溝５７Ｈに設けられた封止部材５８Ｈに圧接し、コネクタカバー部分５９Ｈの先端のリブ６４が封止部材５８Ｈに減り込む（封止部材５８Ｈが部分的に圧縮される）。このように、コネクタカバー部分５９Ｈの先端のリブ６４が封止部材５８Ｈに減り込むことにより、コネクタカバー部分５９Ｈの先端と封止部材５８Ｈとの間を確実に封止することができる。このため、コネクタカバー部分５９Ｈの先端のリブ６４が封止部材５８Ｈに減り込んだ環状の個所において、塵埃や液体等が、カメラボディ１Ｈの凹部１Ａから、撮像ユニット２Ｈのコネクタ部１１Ｈのコネクタ本体６０Ｈのコネクタカバー部分５９Ｈの内方へと侵入してくることを防止できる。このことから、実施例２のカメラボディ１Ｈの封止部材５８Ｈは、撮像ユニット２Ｈがカメラボディ１Ｈの凹部１Ａに適切に装着された状態において、リブ６４の減り込みによりコネクタ部１１Ｈとコネクタ部１２Ｈとの間を封止することができる厚さ寸法に設定すればよいこととなる。
【０１３９】
実施例２のカメラボディ１Ｈおよび撮像ユニット２Ｈ（撮像装置１０Ｈ）では、基本的に実施例１のカメラボディ１および撮像ユニット２と同様の効果を得ることができる。これに加えて、カメラボディ１Ｈの封止部材５８Ｈに撮像ユニット２Ｈのコネクタカバー部分５９Ｈのリブ６４を減り込ませるだけでよいことから、カメラボディ１Ｈと撮像ユニット２Ｈとの装着方向への相対的な押圧力をより小さなものとすることができる。これにより、撮像ユニット２Ｈをカメラボディ１Ｈへと装着すること、および撮像ユニット２Ｈをカメラボディ１Ｈから取り外すことを、より容易なものとすることができる。
【実施例３】
【０１４０】
次に、実施例３の撮像装置１０Ｉ（カメラボディ１Ｉおよび撮像ユニット２Ｉ）について説明する。実施例３のカメラボディ１Ｉおよび撮像ユニット２Ｉは、コネクタ部の防塵・防水（防滴）構造が実施例１および実施例２とは異なる例である。このカメラボディ１Ｉおよび撮像ユニット２Ｉは、その基本的な構成は実施例１のカメラボディ１および撮像ユニット２と同様であるので、同一機能部分には実施例１と同一の符号を付し、その詳細な説明は省略する。
【０１４１】
カメラボディ１Ｉでは、図２７および図２８に示すように、実施例１とは、コネクタ部１２Ｉのコネクタ本体５３が配置される嵌合溝部５２Ｉが設けられた位置が異なるものとされている。詳細には、嵌合溝部５２Ｉは、背壁部１Ｂが下側に位置しかつ上壁部１Ｄが右側に位置ししかも前方が上側に位置するようにしてカメラボディ１Ｉの板金部材６Ｉを正視したときに、背壁部１Ｂから立ち上がって見える側壁部１ＣＩの中間（背壁部１Ｂから被写体側へと離間した位置）に位置されている。このため、板金部材６Ｉは、正視したときに、嵌合溝部５２Ｉを回避しつつ側壁部１ＣＩを覆う全体にコ字状（一端開放の矩形状）を呈している。この嵌合溝部５２Ｉに配置されるコネクタ本体５３は、位置関係が異なること以外は実施例１と同様である。
【０１４２】
撮像ユニット２Ｉでは、図２９および図３０に示すように、コネクタ部１１Ｉが、カメラボディ１Ｉのコネクタ部１２Ｉの構成に適合するものとされている。コネクタ部１１Ｉは、基本的な構成は、実施例１のコネクタ部１１と同様であるが、左側面２ｃＩにおける位置が実施例１とは異なるものとされている。詳細には、コネクタ部１１Ｉでは、コネクタ本体６０が配置されるコネクタカバー部分５９Ｉが、左側面２ｃＩを正視したときに、カメラボディ１Ｉの前後方向（Ｚ方向）の中間（筐体２ＡＩにおける背面２ｂＩと正面２ａとの中間）に位置されている。このコネクタカバー部分５９Ｉの背面２ｂからの離間量は、カメラボディ１Ｉのコネクタ部１２Ｉにおける嵌合溝部５２Ｉの背壁部１Ｂから被写体側への離間量と一致されている。
【０１４３】
実施例３のカメラボディ１Ｉおよび撮像ユニット２Ｉは、図３１に示すように、実施例１と同様に、撮像ユニット２Ｉをカメラボディ１Ｉへと装着する（から取り外す）ことができる。この撮像ユニット２Ｉがカメラボディ１Ｉの凹部１Ａに適切に装着された状態では、実施例１と同様に、筐体２ＡＩの左側面２ｃＩが側壁部１ＣＩすなわち板金部材６Ｉに当接されて、凹部１Ａ内での左右方向（Ｘ方向）の位置決めが為される。また、撮像ユニット２Ｉがカメラボディ１Ｉの凹部１Ａに装着された状態では、撮像ユニット２Ｉのコネクタ部１１Ｉのコネクタカバー部分５９Ｉが、カメラボディ１Ｉのコネクタ部１２Ｉの嵌合溝５７に遊嵌し、一対の位置決め穴６３と一対の位置決め突起５６ａとの案内作用によりコネクタ部１１Ｉのコネクタ本体６０がコネクタ部１２Ｉのコネクタ本体５３に適切に連結されて、カメラボディ１Ｉと撮像ユニット２Ｉとが電気的に通信可能に接続される。このとき、コネクタ部１１Ｉのコネクタカバー部分５９Ｉの先端は、コネクタ部１２Ｉの嵌合溝５７Ｉに設けられた封止部材５８Ｉに圧接する（封止部材５８Ｉが圧縮される）。このように、コネクタカバー部分５９Ｉの先端が封止部材５８Ｉに圧接することにより、コネクタカバー部分５９Ｉの先端と封止部材５８Ｉとの間を確実に封止することができる。このため、当該環状の圧接個所において、塵埃や液体等が、カメラボディ１Ｉの凹部１Ａから、撮像ユニット２Ｉのコネクタ部１１Ｉのコネクタ本体６０Ｉのコネクタカバー部分５９Ｉの内方へと侵入してくることを防止できる。
【０１４４】
実施例３のカメラボディ１Ｉおよび撮像ユニット２Ｉ（撮像装置１０Ｉ）では、基本的に実施例１のカメラボディ１および撮像ユニット２と同様の効果を得ることができる。これに加えて、次の効果を得ることができる。撮像ユニット２Ｉがカメラボディ１Ｉの凹部１Ａに適切に装着された状態では、凹部１Ａ内における撮像ユニット２Ｉの位置は実施例１と同様であり、筐体２ＡＩの左側面２ｃＩが側壁部１ＣＩすなわち板金部材６Ｉに当接されて、凹部１Ａ内での左右方向（Ｘ方向）の位置決めが為されることとなるが、このとき、左側面２ｃＩと側壁部１ＣＩ（板金部材６Ｉ）とは、前後方向（Ｚ方向）で見て、互いに連結されたコネクタ部１１Ｉおよびコネクタ部１２Ｉを挟むようにそれらの両側（図３１を正面視するとコネクタ部１１Ｉおよびコネクタ部１２Ｉの上側および下側）で当接している。このため、実施例２のコネクタ部の防塵・防水（防滴）構造では、筐体２ＡＩの左側面２ｃＩが側壁部１ＣＩすなわち板金部材６Ｉに当接することによる、凹部１Ａ内での撮像ユニット２Ｉ（筐体２ＡＩ）の安定性をより高めることができる。このことから、コネクタ部１１Ｉ、１２Ｉに、無理な力が加わるのをより効果的に防止することができる。
【実施例４】
【０１４５】
次に、実施例４の撮像装置１０Ｊ（カメラボディ１Ｊおよび撮像ユニット２Ｊ）について説明する。実施例４のカメラボディ１Ｊおよび撮像ユニット２Ｊは、コネクタ部の防塵・防水（防滴）構造が実施例１ないし実施例３とは異なる例である。このカメラボディ１Ｊおよび撮像ユニット２Ｊは、その基本的な構成は実施例３のカメラボディ１Ｉおよび撮像ユニット２Ｉと同様であるので、同一機能部分には実施例３と同一の符号を付し、その詳細な説明は省略する。
【０１４６】
撮像ユニット２Ｊには、図３２に示すように、コネクタ部１１Ｊのコネクタカバー部分５９Ｊの先端にリブ６４Ｊが設けられている。リブ６４Ｊは、撮像ユニット２Ｊの左側面２ｃＩを正視すると上下方向に長尺で矩形の環状を呈するコネクタカバー部分５９Ｊ（その先端）において、その先端面よりも細い幅寸法で当該先端面の幅方向で見た中間位置に設けられている。このリブ６４Ｊは、コネクタカバー部分５９Ｊの先端面５９ａからコネクタカバー部分５９Ｊの延在方向と等しい方向（撮像ユニット２を側壁部１ＣＩに向かって接近させる方向）へと突出され、コネクタカバー部分５９Ｊの全周に渡って環状に延在している。
【０１４７】
カメラボディ１Ｊは、実施例３のカメラボディ１Ｉと全く同様の構成であるが、封止部材５８Ｊ（図３３参照）の厚さ寸法の設定の際の観点が異なる。これは、撮像ユニット２Ｊのコネクタ部１１Ｊのコネクタカバー部分５９Ｊの先端にリブ６４Ｊが設けられていることによる。
【０１４８】
実施例４のカメラボディ１Ｊおよび撮像ユニット２Ｊは、図３３に示すように、実施例３と同様に、撮像ユニット２Ｊをカメラボディ１Ｊへと装着する（から取り外す）ことができる。この撮像ユニット２Ｊがカメラボディ１Ｊの凹部１Ａに装着された状態では、撮像ユニット２Ｊのコネクタ部１１Ｊのコネクタカバー部分５９Ｊが、カメラボディ１Ｊのコネクタ部１２Ｊの嵌合溝５７Ｉに遊嵌し、一対の位置決め穴６３と一対の位置決め突起５６ａとの案内作用によりコネクタ部１１Ｊのコネクタ本体６０がコネクタ部１２Ｊのコネクタ本体５３に適切に連結されて、カメラボディ１Ｊと撮像ユニット２Ｊとが電気的に通信可能に接続される。このとき、コネクタ部１１Ｊのコネクタカバー部分５９Ｊの先端は、コネクタ部１２Ｊの嵌合溝５７Ｉに設けられた封止部材５８Ｊに圧接し、コネクタカバー部分５９Ｊの先端面のリブ６４Ｊが封止部材５８Ｊに減り込む（封止部材５８Ｊが部分的に圧縮される）。このように、コネクタカバー部分５９Ｊの先端のリブ６４Ｊが封止部材５８Ｊに減り込むことにより、コネクタカバー部分５９Ｊの先端と封止部材５８Ｊとの間を確実に封止することができる。このため、コネクタカバー部分５９Ｊの先端のリブ６４Ｊが封止部材５８Ｊに減り込んだ環状の個所において、塵埃や液体等が、カメラボディ１Ｊの凹部１Ａから、撮像ユニット２Ｊのコネクタ部１１Ｊのコネクタ本体６０Ｊのコネクタカバー部分５９Ｊの内方へと侵入してくることを防止できる。このことから、実施例４のカメラボディ１Ｊの封止部材５８Ｊは、撮像ユニット２Ｊがカメラボディ１Ｊの凹部１Ａに適切に装着された状態において、リブ６４Ｊの減り込みによりコネクタ部１１Ｊとコネクタ部１２Ｊとの間を封止することができる厚さ寸法に設定すればよいこととなる。
【０１４９】
実施例４のカメラボディ１Ｊおよび撮像ユニット２Ｊ（撮像装置１０Ｊ）では、基本的に実施例３のカメラボディ１Ｉおよび撮像ユニット２Ｉと同様の効果を得ることができる。これに加えて、カメラボディ１Ｊの封止部材５８Ｊに撮像ユニット２Ｊのコネクタカバー部分５９Ｊのリブ６４Ｊを減り込ませるだけでよいことから、カメラボディ１Ｊと撮像ユニット２Ｊとの装着方向への相対的な押圧力をより小さなものとすることができる。これにより、撮像ユニット２Ｊをカメラボディ１Ｊへと装着すること、および撮像ユニット２Ｊをカメラボディ１Ｊから取り外すことを、より容易なものとすることができる。
【実施例５】
【０１５０】
次に、実施例５の撮像装置１０Ｋ（カメラボディ１Ｋおよび撮像ユニット２Ｋ）について説明する。実施例５のカメラボディ１Ｋおよび撮像ユニット２Ｋは、コネクタ部の防塵・防水（防滴）構造が実施例１ないし実施例４とは異なる例である。このカメラボディ１Ｋおよび撮像ユニット２Ｋは、その基本的な構成は実施例３のカメラボディ１Ｉおよび撮像ユニット２Ｉと同様であるので、同一機能部分には実施例３と同一の符号を付し、その詳細な説明は省略する。
【０１５１】
カメラボディ１Ｋは、図３４に示すように、コネクタ部１２Ｋが、実施例３のカメラボディ１Ｉのコネクタ部１２Ｉにおいて封止部材（５８Ｉ）が設けられていない構成とされたものである。
【０１５２】
撮像ユニット２Ｋでは、図３５および図３６に示すように、筐体２ＡＫの左側面２ｃＫにおいて、コネクタ部１１Ｋのコネクタカバー部分５９Ｋを取り巻くように、封止部材５８Ｋが設けられている。この封止部材５８Ｋは、実施例１ないし実施例４においてカメラボディのコネクタ部に用いられていたものと同様のものである。この封止部材５８Ｋは、撮像ユニット２Ｋがカメラボディ１Ｋの凹部１Ａに適切に装着された際、筐体２ＡＫの左側面２ｃＫが側壁部１ＣＩすなわち板金部材６Ｉに当接されることにより、側壁部１ＣＩすなわち板金部材６Ｉに圧接されるような位置に設けられている。ここで、封止部材５８Ｋは、側壁部１ＣＩすなわち板金部材６Ｉに圧接するものであれば、より小さなものとする観点からコネクタカバー部分５９Ｋの根元（左側面２ｃＫからの立ち上がり個所）に近接していることが望ましい。
【０１５３】
実施例５のカメラボディ１Ｋおよび撮像ユニット２Ｋは、図３７に示すように、実施例３と同様に、撮像ユニット２Ｋをカメラボディ１Ｋへと装着する（から取り外す）ことができる。この撮像ユニット２Ｋがカメラボディ１Ｋの凹部１Ａに適切に装着された状態では、実施例３と同様に、筐体２ＡＫの左側面２ｃＫが側壁部１ＣＩすなわち板金部材６Ｉに当接されて、凹部１Ａ内での左右方向（Ｘ方向）の位置決めが為される。また、撮像ユニット２Ｋがカメラボディ１Ｋの凹部１Ａに装着された状態では、撮像ユニット２Ｋのコネクタ部１１Ｋのコネクタカバー部分５９Ｋが、カメラボディ１Ｋのコネクタ部１２の嵌合溝５７Ｉに遊嵌し、一対の位置決め穴６３と一対の位置決め突起５６ａとの案内作用によりコネクタ部１１Ｋのコネクタ本体６０がコネクタ部１２のコネクタ本体５３に適切に連結されて、カメラボディ１Ｋと撮像ユニット２Ｋとが電気的に通信可能に接続される。このとき、コネクタ部１２の周辺部分、詳細には、カメラボディ１Ｋの側壁部１ＣＩ（板金部材６Ｉ）においてコネクタ部１２の嵌合溝部５２Ｉの開口部周辺に相当する個所が、コネクタ部１１Ｋのコネクタカバー部分５９Ｋの周辺に設けられた封止部材５８Ｋに圧接する（封止部材５８Ｋが圧縮される）。このように、コネクタ部１２の周辺部分が封止部材５８Ｋに圧接することにより、当該周辺部分と封止部材５８Ｋとの間を確実に封止することができる。このため、コネクタカバー部分５９Ｋを取り巻く圧接個所において、塵埃や液体等が、カメラボディ１Ｋの凹部１Ａから、カメラボディ１Ｋのコネクタ部１２の嵌合溝部５２Ｉの内方へと侵入してくることを防止できる。
【０１５４】
実施例５のカメラボディ１Ｋおよび撮像ユニット２Ｋ（撮像装置１０Ｋ）では、基本的に実施例３のカメラボディ１Ｉおよび撮像ユニット２Ｉと同様の効果を得ることができる。これに加えて、封止部材５８Ｋが撮像ユニット２Ｋに設けられていることから、例えば、バージョンアップのために新たな撮像ユニット２Ｋを装着する場面では、新たな封止部材５８Ｋにより封止することができるので、より確実な防塵・防水（防滴）効果を得ることができる。
【実施例６】
【０１５５】
次に、実施例６の撮像装置１０Ｌ（カメラボディ１Ｌおよび撮像ユニット２Ｌ）について説明する。実施例６のカメラボディ１Ｌおよび撮像ユニット２Ｌは、コネクタ部の防塵・防水（防滴）構造が実施例１ないし実施例５とは異なる例である。このカメラボディ１Ｌは、図３８に示すように、実施例３のカメラボディ１Ｉと同様である。また、撮像ユニット２Ｌは、実施例５の撮像ユニット２Ｋと同様である。
【０１５６】
実施例６のカメラボディ１Ｌおよび撮像ユニット２Ｌは、他の各実施例と同様に、撮像ユニット２Ｌをカメラボディ１Ｌへと装着する（から取り外す）ことができる。この撮像ユニット２Ｌがカメラボディ１Ｌの凹部１Ａに適切に装着された状態では、実施例６と同様に、筐体２ＡＫの左側面２ｃＫが側壁部１ＣＩすなわち板金部材６Ｉに当接されて、凹部１Ａ内での左右方向（Ｘ方向）の位置決めが為される。また、撮像ユニット２Ｌがカメラボディ１Ｌの凹部１Ａに装着された状態では、撮像ユニット２Ｌのコネクタ部１１Ｌのコネクタカバー部分５９Ｋが、カメラボディ１Ｌのコネクタ部１２の嵌合溝５７Ｉに遊嵌し、一対の位置決め穴６３と一対の位置決め突起５６ａとの案内作用によりコネクタ部１１Ｌのコネクタ本体６０がコネクタ部１２のコネクタ本体５３に適切に連結されて、カメラボディ１Ｌと撮像ユニット２Ｌとが電気的に通信可能に接続される。このとき、コネクタ部１１Ｌのコネクタカバー部分５９Ｋの先端は、コネクタ部１２Ｌの嵌合溝５７Ｉに設けられた封止部材５８に圧接する（封止部材５８が圧縮される）。このように、コネクタカバー部分５９Ｋの先端が封止部材５８に圧接することにより、コネクタカバー部分５９Ｋの先端と封止部材５８との間を確実に封止することができる。
【０１５７】
また、コネクタ部１２の周辺部分、詳細には、カメラボディ１Ｌの側壁部１ＣＩ（板金部材６Ｉ）においてコネクタ部１２の嵌合溝部５２Ｉの開口部周辺に相当する個所が、コネクタ部１１Ｌのコネクタカバー部分５９Ｋの周辺に設けられた封止部材５８Ｋに圧接する（封止部材５８Ｋが圧縮される）。このように、コネクタ部１２の周辺部分が封止部材５８Ｋに圧接することにより、当該周辺部分と封止部材５８Ｋとの間を確実に封止することができる。
【０１５８】
このため、コネクタカバー部分５９Ｋの周辺を取り巻く圧接個所において、塵埃や液体等が、カメラボディ１Ｌの凹部１Ａから、カメラボディ１Ｌのコネクタ部１２の嵌合溝部５２Ｉの内方へと侵入してくることを防止できるとともに、コネクタカバー部分５９Ｋの先端の環状の圧接個所において、塵埃や液体等が、カメラボディ１Ｌの凹部１Ａから、撮像ユニット２Ｌのコネクタ部１１Ｌのコネクタ本体６０Ｌのコネクタカバー部分５９Ｋの内方へと侵入してくることを防止できる。
【０１５９】
実施例６のカメラボディ１Ｌおよび撮像ユニット２Ｌ（撮像装置１０Ｌ）では、基本的に実施例５のカメラボディ１Ｋおよび撮像ユニット２Ｋと同様の効果を得ることができる。これに加えて、コネクタカバー部分５９Ｋの周辺の環状の圧接個所と、コネクタカバー部分５９Ｋの先端の環状の圧接個所とで、２重に封止する構成であることから、より確実な防塵・防水（防滴）効果を得ることができる。
【実施例７】
【０１６０】
次に、実施例７の撮像装置１０Ｍ（カメラボディ１Ｍおよび撮像ユニット２Ｍ）について説明する。実施例７のカメラボディ１Ｍおよび撮像ユニット２Ｍは、コネクタ部の防塵・防水（防滴）構造が実施例１ないし実施例６とは異なる例である。この撮像ユニット２Ｍは、実施例３の撮像ユニット２Ｉ（図３０参照）と同様である。また、カメラボディ１Ｍは、その基本的な構成は実施例５のカメラボディ１Ｋと同様であるので、同一機能部分には実施例５と同一の符号を付し、その詳細な説明は省略する。
【０１６１】
カメラボディ１Ｍでは、図３９に示すように、コネクタ部１２Ｍの周辺部分、詳細には、カメラボディ１Ｍの側壁部１ＣＩ（板金部材６Ｉ）においてコネクタ部１２Ｍの嵌合溝部５２Ｉの開口部周辺に相当する個所で当該開口部を取り囲むように封止部材５８Ｍが設けられている。この封止部材５８Ｍは、実施例１ないし実施例６においてカメラボディのコネクタ部もしくは撮像ユニットのコネクタ部に用いられていたものと同様のものである。この封止部材５８Ｍは、撮像ユニット２Ｍがカメラボディ１Ｍの凹部１Ａに適切に装着された際、筐体２ＡＩの左側面２ｃＩが側壁部１ＣＩすなわち板金部材６Ｉに当接されることにより、左側面２ｃＩに圧接されるような位置に設けられている。ここで、封止部材５８Ｍは、左側面２ｃＩに圧接するものであれば、より小さなものとする観点から嵌合溝部５２Ｉの開口部に近接していることが望ましい。
【０１６２】
実施例７のカメラボディ１Ｍおよび撮像ユニット２Ｍは、図４０に示すように、実施例５と同様に、撮像ユニット２Ｍをカメラボディ１Ｍへと装着する（から取り外す）ことができる。この撮像ユニット２Ｍがカメラボディ１Ｍの凹部１Ａに適切に装着された状態では、実施例５と同様に、筐体２ＡＩの左側面２ｃＩが側壁部１ＣＩすなわち板金部材６Ｉに当接されて、凹部１Ａ内での左右方向（Ｘ方向）の位置決めが為される。また、撮像ユニット２Ｍがカメラボディ１Ｍの凹部１Ａに装着された状態では、撮像ユニット２Ｍのコネクタ部１１Ｍのコネクタカバー部分５９Ｉが、カメラボディ１Ｍのコネクタ部１２Ｍの嵌合溝５７Ｉに遊嵌し、一対の位置決め穴６３と一対の位置決め突起５６ａとの案内作用によりコネクタ部１１Ｍのコネクタ本体６０がコネクタ部１２Ｍのコネクタ本体５３に適切に連結されて、カメラボディ１Ｍと撮像ユニット２Ｍとが電気的に通信可能に接続される。このとき、コネクタ部１２Ｍの周辺部分、詳細には、カメラボディ１Ｍの側壁部１ＣＩ（板金部材６Ｉ）においてコネクタ部１２Ｍの嵌合溝部５２Ｉの開口部周辺に相当する個所に設けられた封止部材５８Ｍが、筐体２ＡＩの左側面２ｃＩにおいてコネクタ部１１Ｍのコネクタカバー部分５９Ｉの周辺に圧接する（封止部材５８Ｍが圧縮される）。このように、コネクタ部１１Ｍの周辺部分が封止部材５８Ｍに圧接することにより、当該周辺部分と封止部材５８Ｍとの間を確実に封止することができる。このため、嵌合溝部５２Ｉの開口部周辺（コネクタカバー部分５９Ｉ）を取り巻く圧接個所において、塵埃や液体等が、カメラボディ１Ｍの凹部１Ａから、カメラボディ１Ｍのコネクタ部１２Ｍの嵌合溝部５２Ｉの内方へと侵入してくることを防止できる。
【０１６３】
実施例７のカメラボディ１Ｍおよび撮像ユニット２Ｍ（撮像装置１０Ｍ）では、基本的に実施例５のカメラボディ１Ｉおよび撮像ユニット２Ｉと同様の効果を得ることができる。これに加えて、封止部材５８Ｍがカメラボディ１Ｍの側壁部１ＣＩ（板金部材６Ｉ）に設けられていることから、当該封止部材５８Ｍの配設が容易であるので、製造コストを低減することができ、かつ交換も容易であるので、より確実な防塵・防水（防滴）効果を得ることができる。
（ロック機構２４、ロック解除機構２４´の変形例）
図５、図１３〜図１８に示すロック機構２４では、ロック爪２５ｃの爪先２５ｃ´´が図５に示すように背壁部１Ｂに対して反対方向の前方に向く構成とされ、図６に示す被ロック爪２ｐの爪先２ｐ´´はロック爪２５ｃの爪先２５ｃ´´の向きとは逆向きの構成とされている。
【０１６４】
これに対して、図４１に示す撮像装置１０では、ロック機構２４のロック爪２５ｃの爪先２５ｃ´´は、図４２に示すように、背壁部１Ｂに向く構成とされ、撮像ユニット２の被ロック爪２ｐの爪先２ｐ´´は、図４３に示すように、図４２に示す爪先２５ｃ´´の向きとは逆向きの構成とされている。図４３に示す撮像ユニット２の構成は、爪先２ｐ´´の向きが異なる点を除いて図６に示す撮像ユニット２と同一であるので、同一構成要素に同一符号を付して、その説明は省略する。
【０１６５】
図４２に示すカメラボディ１の構成は、ロック機構２４、ロック解除機構２４´の構成が異なる点を除いて図６に示すカメラボディ１と同一であるので、同一構成要素に同一符号を付して、その詳細な説明を省略し、ロック機構２４、ロック解除機構２４´の構成を図４４〜図４９を参照しつつ説明する。
【０１６６】
その図４４〜図４７に示すロック部材２５は、図１３〜図１６に示すロック部材２５に若干の変更を加えたものであり、この図４４〜図４７に示すロック部材２５の主要構成は図１３〜図１６に示すロック部材２５と同一である。図４４、図４５、図４８、図４９に示すロック解除操作部材２６は図１３、図１４、図１７、図１８に示すロック解除操作部材２６に若干の変更を加えたものであり、その図４４、図４５、図４８、図４９に示すロック解除操作部材２６の主要構成は、図１３、図１４、図１７、図１８に示すロック解除操作部材２６と同一である。従って、これらの主要構成には、同一符号を付して、その詳細な説明を省略し、異なる部分について説明する。
【０１６７】
図４４〜図４７に示すロック部材２５には、図４４、図４５、図４８、図４９に示すロック解除操作部材２６の解除突起２６ｂが進入する切り欠き部２５ｅが形成されている。その切り欠き部２５ｅには、その解除突起２６ｂの当接壁２５ｆ´が設けられている。ロック部材２５は、図示を略す回動付勢手段により、支軸２７を支点にしてその爪先２５ｃ´´が背壁部１Ｂに向かう方向に回動付勢されている。ストッパ２７ａはその回動付勢手段によるロック部材２５の回動停止位置を規制する役割を果たす。ロック爪２５ｃと被ロック爪２ｐとが係合していない時には、ロック爪２５ｃは付勢手段の回動付勢によって、ストッパに当接した状態で保持される。ロック解除操作部材２６はその非操作時にはそのストッパ２７ａから離間している。
【０１６８】
ロック解除操作部材２６にはアーム部２６ｆが形成されている。このアーム部２６ｆの自由端部には係止突起２６ｃが形成されている。この係止突起２６ｃにはロック解除スプリング２８の一端部２８ａが係止されている。ロック解除用スプリング２８の他端部２８ｂは側壁部１Ｃの内部の適宜箇所に設けられた係止突起（図示を略す）に係止される。ロック解除操作部材２６は、このロック解除用スプリング２８により支軸２７を支点にして解除ボタン２６ｄが背壁部１Ｂに接近する方向（図４５において矢印Ｆ６方向）に回動付勢されている。ロック解除操作部材２６はその非操作時にはストッパ２７ｂに当接され、ストッパ２７ｂはそのロック解除用スプリング２８によるロック解除操作部材２６の回動停止位置を規制する役割を果たす。このロック解除操作部材２６の操作時には、ロック解除操作部材２６は、ストッパ２７ｂから離間し、ストッパ２７ａに接近する方向に回動される。このロック解除操作部材２６の操作方向への回動量はストッパ２７ａによって規制される。
【０１６９】
この構成によれば、撮像ユニット２をカメラボディ１にセットする際に、被ロック爪２ｐの傾斜壁２ｐ´がロック爪２５ｃの傾斜壁２５ｃ´に当接して傾斜壁２５ｃ´に生じる分力がロック部材の回動付勢力よりも大きくなると、ロック部材２５が支軸２７を支点にして回動付勢力の作用する方向とは反対方向（矢印Ｆ６とは反対方向）に回動される。
【０１７０】
ついで、被ロック爪２ｐがロック爪２５ｃを乗り越えると、ロック部材２５がその回動付勢力により元の位置に復帰する。これにより、ロック爪２５ｃが切り欠き部２ｎに進入する。また、被ロック爪２ｐが切り欠き部２５ｂに進入する。これにより、ロック爪２５ｃと被ロック爪２ｐとが噛み合い、撮像ユニット２はカメラボディ１に対して左右方向にロックされる。また、カメラボディ１に対する撮像ユニット２のロックを解除するときには、ロック解除ボタン２６ｄをそのロック解除用スプリング２８の付勢方向とは反対方向（図４１において矢印Ｆ７方向（左方向））に操作する。
【０１７１】
このように、この変形例では、通常使用時に、撮影者が使用し易い左方向が解除操作方向となっているので、グリップ部１ｃの通常の握持状態で、カメラボディ１を持ち替えることなく撮像ユニット２をカメラボディ１から取り外すことができ、撮像ユニット２の交換の迅速化を図ることができる。
【０１７２】
側壁部１Ｃから離れる向き（左から右）に撮像ユニット２を移動させるという１つの動作によって、ロック部材と被ロック部材との分離と、コネクタ部１１、１２による電気的な接続の解除とがほぼ同時に完了するので、撮像ユニット２のカメラボディ１からの取り外し操作を短時間で、容易に行うことができる。
【０１７３】
なお、ロック解除ボタン２６ｄに、ロックを解除する操作方向への動作を許可するロック解除許容部としての出没突起を設けても良い。この出没突起の埋没方向への操作によりロックを解除する操作方向への動作が許可される構成とすると、ツーアクションによりロックを解除する構成となるので、ロック解除ボタン２６ｄの誤操作のリスクの低減をより一層図ることができる。すなわち、ロック解除操作部材２６の操作をツーアクション構造としたので、ロック解除ボタン２６ｄの誤操作のリスクの低減をより一層図ることができる。
（撮像ユニット２の変形例）
カメラボディ１の背壁部１Ｂに図３、図４、図５、図７に示す板金部材４を設け、撮像ユニット２の背面に図６、図４３に示す板金部材２Ｂを設けて、両板金部材４、２Ｂを対面させて、カメラボディ１に対して撮像ユニット２を左右方向にスライドさせて着脱する構成とした場合、両板金部材４、２Ｂの擦り合わせに起因する擦過音が生じる。また、摺接リブ２３ａ、２３ｂと上縁壁４ａ´、下縁壁４ａ´の擦り合わせに起因する擦過音が生じる。
【０１７４】
そこで、この変形例では、図６、図４３に示す筐体２Ａの背面側に以下に説明する工夫がされている。以下、その詳細構成を、図５０〜図５７を参照しつつ説明する。
【０１７５】
図５０、図５１は、撮像ユニット２の筐体２Ａの背面２ｂの部分を破断で示す斜視図である。筐体２Ａの背面側には、図５２に部分的に拡大して示すように、矩形状の第１凹処２ｓとこの第１凹処２ｓよりも小さい矩形状の第２凹処２ｔとが設けられている。第２凹処２ｔは第１凹処２ｓ内に形成されている。この第１凹処２ｓには、図５３、図５４に示す板金部材２Ｂが配置される。この図５３、図５４に示す板金部材２Ｂには、摺接リブ２３ａ、２３ｂを除いて図６に示す板金部材２Ｂと同一構成のものが用いられるので、図６、図４３に示す板金部材２Ｂと同一構成要素に同一符号を付して、その詳細な説明は省略する。
【０１７６】
その第２凹処２ｔ内には、図５５、図５６に示す矩形状の樹脂板（樹脂薄板）３０が配置される。この図５５、図５６に示す樹脂板３０と板金部材２Ｂとを止めネジによって筐体２Ａの背面２ｂに固定することによって、図５７に示す板金部材ユニット３１が構成されている。その樹脂板３０にはその一側面に、一対の矩形状の厚肉部３０ａが上下方向に間隔を開けて形成されている。この一対の厚肉部３０ａは長穴２３ｇに対応して配置されている。また、その樹脂板３０にはその一側面に、一対の矩形状の厚肉部３０ａから左右方向に間隔を開けて一対の厚肉部３０ｂが上下方向に間隔を開けて形成されている。この一対の厚肉部３０ｂは長穴２３ｈに対応して配置されている。これらの厚肉部３０ａ、３０ｂは長穴２３ｇ、２３ｈに挿入可能な形状とされている。
【０１７７】
厚肉部３０ａには左右方向に長く延びる突条部３０ｃが形成されると共に、左右方向に長く延びる接触面部３０ｄが形成されている。その突条部３０ｃは摺接リブ２３ａ、２３ｂとしての役割を果たす。その厚肉部３０ｂには、切り起こし部２３ｅに対する干渉を防止するために切り欠き部３０ｅが形成されると共に、接触面部３０ｆが形成されている。この樹脂板３０にはネジ穴２ｈ´に対応する貫挿穴３０ｈが形成されている。この樹脂板３０の他側面には、半球形状小突部３０ｉが図５６に示すように適宜箇所に形成されている。この半球形状小突部３０ｉは図５２に示すように第２凹処２ｔを構成する壁部２ｔ´に当接して、板金部材ユニット３１の厚さ方向の寸法公差に起因する樹脂板３０の反り返りを防止する役割を果たす。
【０１７８】
このように、この変形例では、摺接リブ２３ａ、２３ｂが樹脂製の突条部３０ｃにより形成されているので、カメラボディ１に対して撮像ユニット２を左右方向にスライドさせて着脱する構成とした場合、摺接リブ２３ａ、２３ｂと上縁壁４ａ´、下縁壁４ｂ´の擦り合わせに起因する擦過音を低減できる。また、板金部材２Ｂに対して樹脂製の接触面部３０ｄ、３０ｆが摺動することになるので、板金部材４と板金部材ユニット３１との擦り合わせに起因する擦過音の低減を図ることもできる。
【０１７９】
また、板金部材ユニット３１の樹脂板３０を用いて、カメラボディ１に対して撮像ユニット２を左右方向にスライドさせて着脱する際の擦過音の低減を図る構成としたとき、撮像ユニット２をカメラボディ１に対して背壁部（背面壁構成体）１Ｂに向けて押しつけると、半球形状小突部３０ｉがないと、樹脂板３０が寸法公差に起因して弾性変形し、樹脂板３０が反り返って、いわゆる「ぱくつき音」が生じる。
【０１８０】
これに対して、この変形例では、半球形状小突部３０ｉが適宜箇所に複数個形成され、寸法公差上、第２凹処２ｔの深さよりも樹脂板３０の厚さが実質的に厚くなるように工夫して、樹脂板３０の接触面部３０ｄ、３０ｆが板金部材４又は背壁部１Ｂに確実に押し付けられる構成としたので、寸法公差に起因する反り返り、弾性変形が防止される。
【０１８１】
この上記した各実施例および変形例では、撮像ユニット２をカメラボディ１に矢印Ｆ３方向から接近させ、ついで、右から左方向に移動させて撮像ユニット２とカメラボディ１との電気的接続を図る構成としたが、右から左方向への移動のみで撮像ユニット２とカメラボディ１との電気的接続を図る構成としても良い。
（カメラボディ１、撮像ユニット２に搭載される電装部品の回路構成）
次に、図５８を参照しつつカメラボディ１、撮像ユニット２に搭載される電装部品について説明する。
【０１８２】
カメラボディ１には、例えば、図５８に示すように、リチウムイオンバッテリ２０４、ストロボ発光部２０７（５ａ）、電子ビューファインダー装置２０９、表示部としての表示面を１ｂを有する液晶表示装置（ＬＣＤ）２１０、ハイビジョンテレビジョンコネクタインタフェース（ＨＤＭＩＩＦ）２１２、オーディオビデオ（ＡＶOUT）出力端子２１３、ＵＳＢインターフェース（USBIF）２１４、ＳＤカードインタフェース（SDｃaｒｄ）２１５、オーディオコーデック回路（AUｄiｏ  ｃｏｄeｃ）２１６、スピーカ２１７、マイクロフォン２１８、画像データを記憶する記録媒体としてのフラッシュＲＯＭ（Ｆｌａｓｈ  ＲＯＭ）２１９、ＤＤＲ−ＳＤＲＡＭ２２０、画像データを受信する受信部としても機能するメインＣＰＵ２０８、撮像指示を与える操作スイッチ２０６、２１１、操作スイッチ２０６からの撮像指示を受け付ける撮像指示受付部としてのサブＣＰＵ（Ｓｕｂ  ＣＰＵ）２０５、ＤＣ／ＤＣ電源回路２０３、スイッチング素子２０２、コネクタ部１２としてのコネクタ端子２０１が設けられている。
【０１８３】
これらは、撮像装置１０としてのデジタルカメラに要求される公知の機能を有する電装部品の一部を構成している。その操作スイッチ２０６は例えばレリーズシャッタースイッチ（レリーズボタン）５ｙであり、操作スイッチ２１１は例えば液晶表示装置（ＬＣＤ）２１０等を操作する操作キーである。その液晶表示装置（ＬＣＤ）２１０は例えば背壁部１Ｂに設けられている。その操作スイッチ２１１はその背壁部１Bの適宜箇所に設けられる。
【０１８４】
撮像ユニット２の筐体２Ａには、光学系としての撮像レンズユニット１０７、撮像素子１０８、ＡＦＥ回路１０９、ホール素子（Ｈａｌｌ  ｅｌｅｍｎｔ）１０４、駆動コイル（Ｃｏｉｌ）１０５、ジャイロセンサ（Ｇｙｒｏｓｅｎｓｏｒ）１０６、駆動ドライバ（Ｍｏｔｏｒ  Ｄｒｉｖｅｒ）１１１、駆動モータ（Ｍ）１１０、加速度検出センサ１１２、テレワイド検出スイッチ１１３、画像データを送信するコネクタ部１１としてのコネクタ端子１１６が設けられている。
【０１８５】
これらも撮像装置１０としてのデジタルカメラに要求される公知の機能を有する実装部品の一部を構成している。その撮像レンズユニット１０７は複数個のレンズを有し、この複数個のレンズ系の一部は可動鏡筒３ｂに設けられている。なお、この実施例では、駆動モータ（Ｍ）１１０、駆動ドライバ１１１を撮像ユニット２に設ける構成として説明しているが、これらはカメラボディ１に設ける構成とすることもできる。
【０１８６】
ここでは、撮像ユニット２にはカメラボディ１から電源電力が供給される。例えば、ホール素子１０４、駆動コイル１０５、ジャイロセンサ１０６は手ぶれ補正機構の一部を構成している。この手ぶれ補正機構の信号はコネクタ端子１１６、２０１を介してメインＣＰＵ２０８に入力され、メインＣＰＵ２０８はこれらの信号に基づき手ぶれ補正処理を実行する。手ぶれ補正処理は、手ぶれによって発生する撮像素子の受光面上に投影される画像のぶれを補正する処理である。例えば、ジャイロセンサ１０６により検出したぶれの方向と反対の方向に撮像素子を駆動する処理であっても良いし、また、ジャイロセンサ１０６により検出したぶれの方向と同一の方向に撮像レンズユニット１０７の一部の光学素子を駆動する処理であっても良い。撮像素子１０８の映像信号はＡＦＥ回路１０９を介してメインＣＰＵ２０８に入力され、所定の画像処理が施されてＬＣＤ２１０等に表示される。
【０１８７】
テレワイド検出スイッチ１１３はコネクタ端子１１６、２０１を介してメインＣＰＵ２０８に入力され、メインＣＰＵ２０８はテレワイド検出スイッチ１１３、操作スイッチ２１１等のスイッチ信号に基づいて駆動ドライバ１１１、駆動モータ１１０を制御し、これにより、撮像レンズユニット１０７を駆動制御する。加速度検出センサ１１２の検出出力は、コネクタ端子１１６、２０１を介してメインＣＰＵ２０８に入力され、メインＣＰＵ２０８はその加速度センサ１１２の検出出力に基づいてＬＣＤ２１０に表示される画像の傾きを制御する。ＬＣＤ２１０には、加速度センサ１１２の検出出力に基づいて、水平に対する撮像ユニット２の傾き具合が表示される。水平に対する撮像ユニット２の傾き具合は、数値による表示であっても、映像による表示あっても良い。
【０１８８】
操作スイッチ２０６を操作すると、その撮像指示に基づいて、撮像ユニット２が被写体を撮像して画像データに変換する。コネクタ端子１１６はこの画像データをメインＣＰＵ２０８に送信する。
【０１８９】
その撮像ユニット２に、図５９に示すように、ＤＣ／ＤＣ電源回路１０１、サブＣＰＵ１０２、メインＣＰＵ１０３、フラッシュＲＯＭ１１４、ＤＤＲＳＤＲＡＭ１１５を設け、メインＣＰＵ１０３で画像処理を行った後、コネクタ端子１１６、２０１を介して画像処理信号をメインＣＰＵ２０８に送信する構成を採用することもできる。メインＣＰＵ１０３でＪＰＥＧ等のフォーマットへの圧縮処理を行い、コネクタ端子１１６、２０１を介して圧縮された画像データをメインＣＰＵ２０８に送信する構成を採用することもできる。このように、撮像ユニット２で画像処理、又は、圧縮処理を行う構成とすると、ノイズの少ない安定した画像をカメラボディ１のメインＣＰＵ２０８に送信することができる。これらの電装部品は後述する電装基盤に配設される。
【０１９０】
このように、この発明の各実施例および変形例によれば、図１（ａ）、図１（ｂ）に示すように、同一のカメラボディ１に対して、異なる大きさの撮像ユニット２を着脱可能である。なお、撮像ユニット２をカメラボディ１に装着したときに、撮像ユニット２の筐体２Ａの下面とカメラボディ１の下面とが面一となるように、カメラボディ１、撮像ユニット２を構成すると、撮像ユニット２が装着されたカメラボディ１の取り扱いが容易になる。更に、異なる大きさの撮像ユニット２をカメラボディ１に装着したときはいつでも、撮像ユニット２の筐体２Ａの下面とカメラボディ１の下面とが面一となるように、カメラボディ１、撮像ユニット２を構成すると、いずれの撮像ユニット２が装着されたカメラボディ１でも、取り扱いが容易となる。
【０１９１】
カメラボディ１の凹部１Ａは三方向（右、下、前）に開放され、カメラボディ１に対する撮像ユニット２の大きさの制約が緩和されているので、顧客のニーズに合わせて大型の高感度撮像素子や小型の撮像素子を撮像ユニット２に配設することができ、左右上下前後方向に大きさの違う撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニットを提供できる。従って、顧客は、撮像素子１０８の進歩に応じて撮像ユニット２のみを購入し、グレードアップを図ることができることになる。
【０１９２】
カメラボディ１の凹部１Ａは、右と下との２方向が開放されていることにより、左右上下方向に大きさの異なる撮像ユニット２を装着することが可能である。よって、カメラボディ１に対する撮像ユニット２の大きさの制約が緩和されているので、顧客のニーズに合わせて大型の高感度撮像素子や小型の撮像ユニット２に配設することができ、レンズ鏡胴３や撮像素子の異なる、大きさの違う撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニット２を提供できる。従って、顧客は、撮像素子１０８の進歩に応じて撮像ユニット２のみを購入し、グレードアップを図ることができることになる。
【０１９３】
また、カメラボディ１と撮像ユニット２との間で通信を行うコネクタ部１１、１２に、６８ピンのベイコネクタを用いたので、短時間で容量の大きい画像データの転送を行うことができる。なお、カメラボディ１と撮像ユニット２との間の通信を行うために、その他の方式、例えば、無線通信方式、光通信方式を用いても良い。
（コネクタ基盤と電装基盤との配置構成）
（第１例）
図６０はコネクタ基盤と電装基盤との配置関係を説明するための第１例を示す模式図である。筐体２Ａの内部には電装基盤３２が設けられている。この筐体２Ａの背面には、手ぶれ補正機構が設けられている。その手ぶれ補正機構に撮像素子１０８が設けられる。この図６０においては、手ぶれ補正機構の詳細構造は、説明の簡略化を図るために省略されている。
【０１９４】
電装基盤３２は第１分割基盤３３と第２分割基盤３４との２枚の分割基盤から構成されている。この第１分割基盤３３と第２分割基盤３４とは光軸Ｏに対して平行に配置されている。ここでは、この第１分割基盤３３と第２分割基盤３４とは互いに上下に重ねて合わせて配置されている。その各分割基盤３３、３４には実装部品３５ａ、３５ｂ、３５ｃ等が設けられている。実装部品３５ａは例えば画像処理チップであり、実装部品３５ｂは例えばフラッシュＲＯＭ１１４であり、実装部品３５ｃは電源回路の構成部品としての回路素子である。これらの実装部品３５ａ〜３５ｃは各分割基盤３３、３４から突出している。
【０１９５】
ここでは、第１分割基盤３３に実装されている実装部品３５ａ、３５ｂと第２分割基盤３４に実装されている実装部品３５ｃとは、これらの実装部品が搭載されている面同士が互いに向き合わされて、かつ、互いに干渉しないように互い違いに配置されている。これにより、分割基盤３３、３４の実装部品同士の重なりによる厚さが嵩まないようにされている。その第１分割基盤３３は板間コネクタ（図示を略す）により第２分割基盤３４に電気的に接続される。筐体２Ａの背面には、各分割基盤３３、３４の辺部が嵌合する嵌合溝３６、３７が形成されている。その第２分割基盤３４は、その嵌合溝３７とＬ次形状の取り付け部材３８とにより筐体２Ａに固定される。なお、符号３９は止めネジを示す。その第１分割基盤３３は、その嵌合溝３６と板間コネクタとにより第２分割基盤３４に対して固定される。
【０１９６】
その第２分割基盤３４と撮像素子１０８とはフレキシブルプリント基盤４０を介して電気的に接続されている。また、コネクタ部１１を取り付ける取り付け基盤（図示を略す）と第２分割基盤３４もフレキシブルプリント基盤（図示を略す）を介して電気的に接続されている。
【０１９７】
電装基盤３２を第１分割基盤３３と第２分割基盤３４との２分割構成とすると、筐体２Ａを大面積化することなく、実装部品の配置面積の拡大を図ることができる。また、この第１分割基盤３３と第２分割基盤３４とを光軸Ｏに対して平行に配置し、かつ、可動鏡筒３ｂ及び撮像素子１０８を光軸方向に重なるように配置したので、光軸Ｏの方向の筐体２Ａの長さを短くできる。
【０１９８】
第１分割基盤３３と第２分割基盤３４とを重ね合わせて配置した場合でも、第１分割基盤３３に配設された実装部品間に第２分割基盤３４に配設された実装部品が位置するようにして、分割基盤同士を互いに重ね合わせる構成にしたので、分割基盤３３、３４の重ね合わせによる筐体２Ａの上下方向の厚さが増すのを防止できる。
【０１９９】
更に、撮像素子１０８を電装基盤３２から分離する構成としたので、撮像素子１０８を電装基盤３２に直接実装した場合に較べて、レンズ系の光軸Ｏに対する撮像素子１０８の位置調整の容易化を図ることができる。また、電装基盤３２に撮像素子１０８を直接実装することにすると、手ぶれ補正機構の構造が複雑化するが、この第１例によれば、撮像素子１０８を直接駆動できるので、手ぶれ補正機構の構造の簡単化を図ることができる。
【０２００】
以下、図６１、図６２にこの意匠性の改善を図った電装基盤３２の配置構成を第２例として説明する。
（第２例）
図６１、図６２に示すように、この第２例では、第１分割基盤３３と第２分割基盤３４とが可動鏡筒３ｂを挟んで上下に配置されている。第１分割基盤３３はＬ次形状の取り付け部材４２と嵌合溝４３とによって筐体２Ａの内部に固定される。第２分割基盤３４はＬ次形状の取り付け部材４４と嵌合溝４５とによって筐体２Ａの内部に固定される。
【０２０１】
第１分割基盤３３には画像処理チップ等の実装部品３５ａ、３５ｂが配設される。第２分割基盤３４には電源回路を構成する実装部品３５ｃが配設される。その第１分割基盤３３とコネクタ基盤４１とは図６２に示すようにフレキシブルプリント基盤４６によって電気的に接続される。第２分割基盤３４とコネクタ基盤４１とはリード線４７を介して電気的に接続される。その第１分割基盤３３と第２分割基盤３４とはフレキシブルプリント基盤４８を介して接続される。このように、コネクタ基盤４１と分割基盤３３、３４とが別々に構成されているので、コネクタ部１１が故障した際にそのコネクタ部１１の交換が容易となっている。
【０２０２】
フレキシブルプリント基盤４８はコネクタ基盤４１から遠い側の筐体２Ａの右側壁の内面に沿わせて配設されているので、コネクタ部１１に発生した電気ノイズによる影響がフレキシブルプリント基盤４８を介して第１分割基盤３３に及ぶのを低減できる。
【０２０３】
この第２例では、コネクタ部１１とコネクタ基盤４１とを筐体２Ａの左側に配置した場合について説明したが、図６３に示すように、コネクタ部１１とコネクタ基盤４１とを筐体２Ａの上側に配置し、分割基盤３３、３４を可動鏡筒３ｂを境にして上下に配置する構成とすることもできる。この図６３に示す構成も図６１、図６２に示す構成と同様の効果を有する。なお、このようにコネクタ部１１とコネクタ基盤４１とを配置する構成を採用した場合には、カメラボディ１をこの図６２に示す筐体２Ａに対応する構成とする必要がある。
（その他）
以上、発明の実施の形態について説明したが、本発明は、これに限られるものではなく、例えば、図６４〜図６７に示すように、カメラボディ１の上壁部１Ｄの上面１ｆにストロボ装置と電子ビューファインダー１ｇとを装着可能なホットシュー部５ｄと、電子ビューファインダー接続端子５ｅと、ポップアップ式のストロボ発光部５ｂと、モードダイアルスイッチ５ｈとを設ける構成としても良い。なお、図６４に示す電子ビューファインダー接続端子５ｅは雌型コネクタから構成されている。この電子ビューファインダー接続端子５ｅには図６６に示す雄型コネクタとしての電子ビューファインダー接続端子５ｅ´が嵌合される。
【０２０４】
なお、その図６４〜図６７において、図６４はカメラボディ１を背面側から目視した状態であって電子ビューファインダー１ｇのカメラボディ１への装着前の状態を示し、図６５はカメラボディ１を背面側から目視した状態であって電子ビューファインダー１ｇのカメラボディ１への装着状態を示し、図６６はカメラボディ１を正面側から目視した状態であって電子ビューファインダー１ｇのカメラボディ１への装着前の状態を示し、図６７はカメラボディ１を正面から目視した状態であって電子ビューファインダー１ｇのカメラボディ１への装着状態を示している。
【０２０５】
以上、各実施例および変形例について説明したが、本発明に係る撮像装置は、これらの各実施例の構成を適宜組み合わせて形成できるものである。
【０２０６】
なお、上記した各実施例は、両コネクタ部のみに防塵・防水（防滴）構造を設けるものであったが、本体筐体やレンズユニット等でも個別に防塵・防水（防滴）構造を設けることにより、カメラボディ（凹部）に撮像ユニットを装着した状態（撮像装置）での防塵・防水（防滴）効果を高めることができる。
【０２０７】
また、上記した各実施例では、カメラボディにおいて、コネクタカバー部材を用いて本体設置個所としての嵌合溝部を形成するものであったが、凹部に装着された撮像ユニットのコネクタ部（（ユニット側）コネクタ本体）との接合を可能とするように（凹部に連通するように）、（ボディ側）コネクタ本体を配置できるものであれば良く、上記した各実施例に限定されるものではない。
【０２０８】
さらに、実施例５および実施例６では、カメラボディの側壁部の封止部材への圧接により封止する構成とされ、実施例７では、撮像ユニットの筐体の左側面の封止部材への圧接により封止する構成とされていたが、当該圧接個所（コネクタ部１２Ｍの嵌合溝部５２Ｉの開口部周辺を取り巻く圧接個所またはコネクタカバー部分の周辺の環状の圧接個所）に実施例２や実施例４のようなリブを設けるものであってもよい。この場合であっても、実施例２や実施例４と同様の効果を得ることができる。
【符号の説明】
【０２０９】
１、１Ｈ、１Ｉ、１Ｊ、１Ｋ、１Ｌ 、１Ｍ  カメラボディ
２、２Ｈ、２Ｉ、２Ｊ、２Ｋ、２Ｌ 、２Ｍ  撮像ユニット
１Ａ  凹部
１Ｂ  背壁部
１Ｃ、１ＣＩ  側壁部
１Ｄ  上壁部
２Ａ、２ＡＩ、２ＡＫ  筐体
２ａ  正面
２ｂ、２ｂＩ  背面
２ｃ、２ｃＩ、２ｃＫ  左側面
１０、１０Ｈ、１０Ｉ、１０Ｊ、１０Ｋ、１０Ｌ、１０Ｍ  撮像装置
１１、１１Ｈ、１１Ｉ、１１Ｊ、１１Ｋ、１１Ｌ、１１Ｍ  （ユニット側コネクタ部としての）コネクタ部
１２、１２Ｈ、１２Ｉ、１２Ｊ、１２Ｋ、１２Ｌ、１２Ｍ  （ボディ側コネクタ部としての）コネクタ部
５２、５２Ｉ  （本体設置個所としての）嵌合溝部
５３  （ボディ側コネクタ本体としての）コネクタ本体
５７、５７Ｈ、５７Ｉ  嵌合溝
５８、５８Ｈ、５８Ｉ、５８Ｊ、５８Ｋ、５８Ｍ  封止部材
５９、５９Ｈ、５９Ｉ、５９Ｊ、５９Ｋ  コネクタカバー部分
５９ａ  先端面
６０、６０Ｈ、６０Ｉ、６０Ｊ、６０Ｌ  （ユニット側コネクタ本体としての）コネクタ本体
６４、６４Ｊ  リブ
【先行技術文献】
【特許文献】
【０２１０】
【特許文献１】特開２００７−１７３９０９号公報
【図１（ａ）】
2010217611.tif 000003
【図１（ｂ）】
2010217611.tif 000004
【図２】
2010217611.tif 000005
【図３】
2010217611.tif 000006
【図４】
2010217611.tif 000007
【図５】
2010217611.tif 000008
【図６】
2010217611.tif 000009
【図７】
2010217611.tif 000010
【図８】
2010217611.tif 000011
【図９】
2010217611.tif 000012
【図１０】
2010217611.tif 000013
【図１１】
2010217611.tif 000014
【図１２】
2010217611.tif 000015
【図１３】
2010217611.tif 000016
【図１４】
2010217611.tif 000017
【図１５】
2010217611.tif 000018
【図１６】
2010217611.tif 000019
【図１７】
2010217611.tif 000020
【図１８】
2010217611.tif 000021
【図１９】
2010217611.tif 000022
【図２０】
2010217611.tif 000023
【図２１】
2010217611.tif 000024
【図２２】
2010217611.tif 000025
【図２３】
2010217611.tif 000026
【図２４】
2010217611.tif 000027
【図２５】
2010217611.tif 000028
【図２６】
2010217611.tif 000029
【図２７】
2010217611.tif 000030
【図２８】
2010217611.tif 000031
【図２９】
2010217611.tif 000032
【図３０】
2010217611.tif 000033
【図３１】
2010217611.tif 000034
【図３２】
2010217611.tif 000035
【図３３】
2010217611.tif 000036
【図３４】
2010217611.tif 000037
【図３５】
2010217611.tif 000038
【図３６】
2010217611.tif 000039
【図３７】
2010217611.tif 000040
【図３８】
2010217611.tif 000041
【図３９】
2010217611.tif 000042
【図４０】
2010217611.tif 000043
【図４１】
2010217611.tif 000044
【図４２】
2010217611.tif 000045
【図４３】
2010217611.tif 000046
【図４４】
2010217611.tif 000047
【図４５】
2010217611.tif 000048
【図４６】
2010217611.tif 000049
【図４７】
2010217611.tif 000050
【図４８】
2010217611.tif 000051
【図４９】
2010217611.tif 000052
【図５０】
2010217611.tif 000053
【図５１】
2010217611.tif 000054
【図５２】
2010217611.tif 000055
【図５３】
2010217611.tif 000056
【図５４】
2010217611.tif 000057
【図５５】
2010217611.tif 000058
【図５６】
2010217611.tif 000059
【図５７】
2010217611.tif 000060
【図５８】
2010217611.tif 000061
【図５９】
2010217611.tif 000062
【図６０】
2010217611.tif 000063
【図６１】
2010217611.tif 000064
【図６２】
2010217611.tif 000065
【図６３】
2010217611.tif 000066
【図６４】
2010217611.tif 000067
【図６５】
2010217611.tif 000068
【図６６】
2010217611.tif 000069
【図６７】
2010217611.tif 000070